(57)【特許請求の範囲】
【請求項１】
暖房換気空調（ＨＶＡＣ）ユニットを制御する方法であって、
サーモスタットから第１のサーモスタット入力を受信することと、
前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、
前記第１のサーモスタット入力に基づいて、前記ＨＶＡＣユニットの現行能力比率を第１の能力比率に設定することと、
前記ＨＶＡＣユニットから受信された、第１の時点の室温と前記第１の時点よりも以前の第２の時点の室温とを含む第１の温度データに基づいて、第１の部屋暖房／冷房変化速度を計算することと、
前記第１の部屋暖房／冷房変化速度を第１の閾値と比較することと、
前記第１の部屋暖房／冷房変化速度が前記第１の閾値と等しい場合、前記ＨＶＡＣユニットを前記第１の能力比率に維持することと、
前記第１の部屋暖房／冷房変化速度が前記第１の閾値を上回っている場合、前記現行能力比率を第１の冷房増分ずつ最低で０％まで下げることと、
前記第１の部屋暖房／冷房変化速度が前記第１の閾値を下回っている場合、前記現行能力比率を第２の冷房増分ずつ最高で１００％まで上げることと、
前記現行能力比率を維持すること、前記現行能力比率を下げること、又は前記現行能力比率を上げることのいずれかの後に、前記サーモスタットからオフインジケーターを受信することと、
現在の室温を前記ＨＶＡＣの設定点温度として設定して、前記現在のモードに維持することと、
第１のタイムアウト期間の間、前記サーモスタットから更なる信号を待機することと、
前記第１のタイムアウト期間中、前記サーモスタットから前記オフインジケーターのみを受信することと、
前記現在のモードにおいて前記ＨＶＡＣユニットを最小能力比率に設定することと、
第２のタイムアウト期間の間、前記サーモスタットから更なる信号を待機することと、
前記第２のタイムアウト期間中、前記サーモスタットから前記オフインジケーターのみを受信することと、
前記ＨＶＡＣユニットをオフにすることと、
を含む、暖房換気空調ユニットを制御する方法。
【請求項２】
暖房換気空調（ＨＶＡＣ）ユニットを制御する方法であって、
サーモスタットから第１のサーモスタット入力を受信することと、
前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、
前記第１のサーモスタット入力に基づいて、前記ＨＶＡＣユニットの現行能力比率を第１の能力比率に設定することと、
前記ＨＶＡＣユニットから受信された、第１の時点の室温と前記第１の時点よりも以前の第２の時点の室温とを含む第１の温度データに基づいて、第１の部屋暖房／冷房変化速度を計算することと、
前記第１の部屋暖房／冷房変化速度を第１の閾値と比較することと、
前記第１の部屋暖房／冷房変化速度が前記第１の閾値と等しい場合、前記ＨＶＡＣユニットを前記第１の能力比率に維持することと、
前記第１の部屋暖房／冷房変化速度が前記第１の閾値を上回っている場合、前記現行能力比率を第１の冷房増分ずつ最低で０％まで下げることと、
前記第１の部屋暖房／冷房変化速度が前記第１の閾値を下回っている場合、前記現行能力比率を第２の冷房増分ずつ最高で１００％まで上げることと、
前記現行能力比率を維持すること、前記現行能力比率を下げること、又は前記現行能力比率を上げることのいずれかの後に、前記サーモスタットからオフインジケーターを受信することと、
現在の室温を前記ＨＶＡＣの設定点温度として設定して維持することと、
第１のタイムアウト期間中に前記サーモスタットから第３のサーモスタット入力を受信することと、
前記ＨＶＡＣユニットの前記現在のモードを、暖房信号が前記第３のサーモスタット入力において有効にされているときは暖房モードに設定し、又は冷房信号が前記第３のサーモスタット入力において有効にされているときは冷房モードに設定することと、
前記第３のサーモスタット入力値に基づいて、前記ＨＶＡＣユニットの前記現行能力比率を第３の能力比率に設定することと、
前記ＨＶＡＣユニットから受信された第３の温度データに基づいて第３の部屋暖房／冷房変化速度を計算することと、
前記第３の部屋暖房／冷房変化速度を第３の閾値と比較することと、
前記第３の部屋暖房／冷房変化速度が前記第３の閾値と等しい場合、前記現行能力比率を維持することと、
前記第３の部屋暖房／冷房変化速度が前記第３の閾値を上回っている場合、前記現行能力比率を第５の冷房増分ずつ最低で０％まで下げることと、
前記第３の部屋暖房／冷房変化速度が前記第３の閾値を上回っている場合、前記現行能力比率を第６の冷房増分ずつ最高で１００％まで上げることと、
を含む、暖房換気空調ユニットを制御する方法。
【請求項３】
前記第１のサーモスタット入力を受信する動作を第１の動作とし、
前記ＨＶＡＣユニットの前記現在のモードを設定する動作を第２の動作とし、
前記ＨＶＡＣユニットを前記第１の能力比率に設定する動作を第３の動作とし、
前記第１の部屋暖房／冷房変化速度を計算する動作を第４の動作とし、
前記第１の部屋暖房／冷房変化速度を前記第１の閾値と比較する動作を第５の動作とし、
前記現行能力比率を維持する動作、前記現行能力比率を下げる動作、又は前記現行能力比率を上げる動作を第６の動作としたとき、
前記第１の動作、前記第２の動作、前記第３の動作、前記第４の動作、前記第５の動作及び前記第６の動作は、複数回繰り返される、請求項１または２に記載の方法。
【請求項４】
前記現在のモードが前記暖房モードである場合、前記第１の部屋暖房／冷房変化速度は現在の室温変化速度と等しく、
前記現在のモードが前記冷房モードである場合、前記第１の部屋暖房／冷房変化速度は、前記現在の室温変化速度に−１を乗算したものと等しい、
請求項１または２に記載の方法。
【請求項５】
前記第１の能力比率は、１％以上５０％以下である、請求項１または２に記載の方法。
【請求項６】
前記第１の冷房増分は、５％以上２０％以下であり、
前記第２の冷房増分は、５％以上２０％以下である、
請求項１または２に記載の方法。
【請求項７】
前記第１の冷房増分は、前記第１の閾値と前記第１の部屋暖房／冷房変化速度との第１の関数であり、
前記第２の冷房増分は、前記第１の閾値と前記第１の部屋暖房／冷房変化速度との第２の関数である、
請求項１または２に記載の方法。
【請求項８】
前記サーモスタットから第２のサーモスタット入力を受信することと、
前記ＨＶＡＣユニットの現在のモードを、暖房信号が前記第２のサーモスタット入力において有効にされているときは暖房モードに設定し、又は冷房信号が前記第２のサーモスタット入力において有効にされているときは冷房モードに設定することと、
前記第２のサーモスタット入力に基づいて、前記ＨＶＡＣユニットの前記現行能力比率を、前記第１の能力比率と異なる第２の能力比率に設定することと、
前記ＨＶＡＣユニットから受信された第２の温度データに基づいて、第２の部屋暖房／冷房変化速度を計算することと、
前記第２の部屋暖房／冷房変化速度を第２の閾値と比較することと、
前記第２の部屋暖房／冷房変化速度が前記第２の閾値と等しい場合、前記現行能力比率を維持することと、
前記第２の部屋暖房／冷房変化速度が前記第２の閾値を上回っている場合、前記現行能力比率を第３の冷房増分ずつ最低で０％まで下げることと、
前記第２の部屋暖房／冷房変化速度が前記第２の閾値を下回っている場合、前記現行能力比率を第４の冷房増分ずつ最高で１００％まで上げることと、
を更に含む、請求項１または２に記載の方法。
【請求項９】
前記第２のサーモスタット入力を受信する動作を第１の動作とし、
前記ＨＶＡＣユニットの前記現在のモードを設定する動作を第２の動作とし、
前記ＨＶＡＣユニットを前記第２の能力比率に設定する動作を第３の動作とし、
前記第２の部屋暖房／冷房変化速度を計算する動作を第４の動作とし、
前記第２の部屋暖房／冷房変化速度を前記第２の閾値と比較する動作を第５の動作とし、
前記現行能力比率を維持する動作、前記現行能力比率を下げる動作、又は前記現行能力比率を上げる動作を第６の動作としたとき、
前記第１の動作、前記第２の動作、前記第３の動作、前記第４の動作、前記第５の動作及び前記第６の動作は、複数回繰り返される、請求項８に記載の方法。
【請求項１０】
前記現在のモードが前記暖房モードである場合、前記第２の部屋暖房／冷房変化速度は前記現在の室温変化速度と等しく、
前記現在のモードが前記冷房モードである場合、前記第２の部屋暖房／冷房変化速度は、前記現在の室温変化速度に−１を乗算したものと等しい、
請求項８に記載の方法。
【請求項１１】
前記第２の能力比率は、５０％以上１００％以下である、請求項８に記載の方法。
【請求項１２】
前記第３の冷房増分は、５％以上２０％以下であり、
前記第４の冷房増分は、５％以上２０％以下である、
請求項８に記載の方法。
【請求項１３】
前記第３の冷房増分は、前記第２の閾値と前記第２の部屋暖房／冷房変化速度との第１の関数であり、
前記第４の冷房増分は、前記第２の閾値と前記第２の部屋暖房／冷房変化速度との第２の関数である、
請求項８に記載の方法。
【請求項１４】
前記第１の部屋暖房／冷房変化速度を前記第１の閾値及び第４の閾値と比較することと、
前記第１の部屋暖房／冷房変化速度が、前記第１の閾値及び前記第４の閾値を含む両閾値の間にある場合、前記現行能力比率を維持することと、
前記第１の部屋暖房／冷房変化速度が前記第１の閾値を上回っている場合、前記現行能力比率を前記第１の冷房増分ずつ最低で０％まで下げることと、
前記第１の部屋暖房／冷房変化速度が前記第４の閾値を下回っている場合、前記現行能力比率を第２の冷房増分ずつ最大で１００％まで上げることと、
を更に含む、請求項１または２に記載の方法。
【請求項１５】
暖房換気空調（ＨＶＡＣ）ユニットを制御する方法であって、
サーモスタットから第１のサーモスタット入力を受信することと、
前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、
前記第１のサーモスタット入力に基づいて、前記ＨＶＡＣユニットの現行能力比率を第１の能力に設定することと、
前記ＨＶＡＣユニットの前記現在のモードを設定した後に、前記サーモスタットからオフインジケーターを受信することと、
現在の室温を前記ＨＶＡＣの設定点温度として設定して、前記現在のモードに維持することと、
第１のタイムアウト期間の間、前記サーモスタットから更なる信号を待機することと、
前記第１のタイムアウト期間中、前記サーモスタットから前記オフインジケーターのみを受信することと、
前記第１のタイムアウト期間中に前記サーモスタットから前記オフインジケーターのみを受信した後に、前記現在のモードにおいて前記ＨＶＡＣユニットの前記現行能力比率を最小能力に設定することと、
第２のタイムアウト期間の間、前記サーモスタットから更なる信号を待機することと、
前記第２のタイムアウト期間中、前記サーモスタットから前記オフインジケーターのみを受信することと、
前記第２のタイムアウト期間中に前記サーモスタットから前記オフインジケーターのみを受信した後に、前記ＨＶＡＣユニットをオフにすることと、
を含む、暖房換気空調ユニットを制御する方法。
【請求項１６】
前記第１のタイムアウト期間は０分〜３０分であり、
前記第２のタイムアウト期間は０分〜３０分であり、
前記第１のタイムアウト期間及び前記第２のタイムアウト期間のうちの少なくとも一方は０よりも大きい、
請求項１５に記載の方法。
【請求項１７】
コンピューターによって実行される命令を含む非一時的コンピューター可読媒体であって、前記命令は、暖房換気空調（ＨＶＡＣ）ユニットを制御する方法を提供するコンピューター実施される方法を含み、前記命令は、
サーモスタットから第１のサーモスタット入力を受信することと、
前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、
前記第１のサーモスタット入力に基づいて、前記ＨＶＡＣユニットの現行能力比率を第１の能力比率に設定することと、
前記ＨＶＡＣユニットから受信された、第１の時点の室温と前記第１の時点よりも以前の第２の時点の室温とを含む第１の温度データに基づいて、第１の部屋暖房／冷房変化速度を計算することと、
前記第１の部屋暖房／冷房変化速度を第１の閾値と比較することと、
前記第１の部屋暖房／冷房変化速度が前記第１の閾値と等しい場合、前記ＨＶＡＣユニットを前記第１の能力比率に維持することと、
前記第１の部屋暖房／冷房変化速度が前記第１の閾値を上回っている場合、前記現行能力比率を第１の冷房増分ずつ最低で０％まで下げることと、
前記第１の部屋暖房／冷房変化速度が前記第１の閾値を下回っている場合、前記現行能力比率を第２の冷房増分ずつ最高で１００％まで上げることと、
前記現行能力比率を維持すること、前記現行能力比率を下げること、又は前記現行能力比率を上げることのいずれかの後に、前記サーモスタットからオフインジケーターを受信することと、
現在の室温を前記ＨＶＡＣの設定点温度として設定して、前記現在のモードに維持することと、
第１のタイムアウト期間の間、前記サーモスタットから更なる信号を待機することと、
前記第１のタイムアウト期間中、前記サーモスタットから前記オフインジケーターのみを受信することと、
前記現在のモードにおいて前記ＨＶＡＣユニットを最小能力比率に設定することと、
第２のタイムアウト期間の間、前記サーモスタットから更なる信号を待機することと、
前記第２のタイムアウト期間中、前記サーモスタットから前記オフインジケーターのみを受信することと、
前記ＨＶＡＣユニットをオフにすることと、
を実施するものである、非一時的コンピューター可読媒体。
【請求項１８】
コンピューターによって実行される命令を含む非一時的コンピューター可読媒体であって、前記命令は、暖房換気空調（ＨＶＡＣ）ユニットを制御する方法を提供するコンピューター実施される方法を含み、前記命令は、
サーモスタットから第１のサーモスタット入力を受信することと、
前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、
前記第１のサーモスタット入力に基づいて、前記ＨＶＡＣユニットの現行能力比率を第１の能力比率に設定することと、
前記ＨＶＡＣユニットから受信された、第１の時点の室温と前記第１の時点よりも以前の第２の時点の室温とを含む第１の温度データに基づいて、第１の部屋暖房／冷房変化速度を計算することと、
前記第１の部屋暖房／冷房変化速度を第１の閾値と比較することと、
前記第１の部屋暖房／冷房変化速度が前記第１の閾値と等しい場合、前記ＨＶＡＣユニットを前記第１の能力比率に維持することと、
前記第１の部屋暖房／冷房変化速度が前記第１の閾値を上回っている場合、前記現行能力比率を第１の冷房増分ずつ最低で０％まで下げることと、
前記第１の部屋暖房／冷房変化速度が前記第１の閾値を下回っている場合、前記現行能力比率を第２の冷房増分ずつ最高で１００％まで上げることと、
前記現行能力比率を維持すること、前記現行能力比率を下げること、又は前記現行能力比率を上げることのいずれかの後に、前記サーモスタットからオフインジケーターを受信することと、
現在の室温を前記ＨＶＡＣの設定点温度として設定して維持することと、
第１のタイムアウト期間中に前記サーモスタットから第３のサーモスタット入力を受信することと、
前記ＨＶＡＣユニットの前記現在のモードを、暖房信号が前記第３のサーモスタット入力において有効にされているときは暖房モードに設定し、又は冷房信号が前記第３のサーモスタット入力において有効にされているときは冷房モードに設定することと、
前記第３のサーモスタット入力に基づいて、前記ＨＶＡＣユニットの前記現行能力比率を第３の能力比率に設定することと、
前記ＨＶＡＣユニットから受信された第３の温度データに基づいて第３の部屋暖房／冷房変化速度を計算することと、
前記第３の部屋暖房／冷房変化速度を第３の閾値と比較することと、
前記第３の部屋暖房／冷房変化速度が前記第３の閾値と等しい場合、前記現行能力比率を維持することと、
前記第３の部屋暖房／冷房変化速度が前記第３の閾値を上回っている場合、前記現行能力比率を第５の冷房増分ずつ最低で０％まで下げることと、
前記第３の部屋暖房／冷房変化速度が前記第３の閾値を上回っている場合、前記現行能力比率を第６の冷房増分ずつ最高で１００％まで上げることと、
を実施するものである、非一時的コンピューター可読媒体。
【請求項１９】
コンピューターによって実行される命令を含む非一時的コンピューター可読媒体であって、前記命令は、暖房換気空調（ＨＶＡＣ）ユニットを制御する方法を提供するコンピューター実施される方法を含み、前記命令は、
サーモスタットから第１のサーモスタット入力を受信することと、
前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、
前記第１のサーモスタット入力に基づいて、前記ＨＶＡＣユニットの現行能力比率を第１の能力比率に設定することと、
前記ＨＶＡＣユニットから受信された、第１の時点の室温と前記第１の時点よりも以前の第２の時点の室温とを含む第１の温度データに基づいて、第１の部屋暖房／冷房変化速度を計算することと、
前記第１の部屋暖房／冷房変化速度を第１の閾値と比較することと、
前記第１の部屋暖房／冷房変化速度が前記第１の閾値と等しい場合、前記ＨＶＡＣユニットを前記第１の能力比率に維持することと、
前記第１の部屋暖房／冷房変化速度が前記第１の閾値を上回っている場合、前記現行能力比率を第１の冷房増分ずつ最低で０％まで下げることと、
前記第１の部屋暖房／冷房変化速度が前記第１の閾値を下回っている場合、前記現行能力比率を第２の冷房増分ずつ最高で１００％まで上げることと、
前記第１の部屋暖房／冷房変化速度を前記第１の閾値及び第４の閾値と比較することと、
前記第１の部屋暖房／冷房変化速度が、前記第１の閾値及び前記第４の閾値を含む両閾値の間にある場合、前記現行能力比率を維持することと、
前記第１の部屋暖房／冷房変化速度が前記第１の閾値を上回っている場合、前記現行能力比率を前記第１の冷房増分ずつ最低で０％まで下げることと、
前記第１の部屋暖房／冷房変化速度が前記第４の閾値を下回っている場合、前記現行能力比率を第２の冷房増分ずつ最大で１００％まで上げることと、
を実施するものである、非一時的コンピューター可読媒体。
【請求項２０】
前記命令は、
前記サーモスタットから第２のサーモスタット入力を受信することと、
前記ＨＶＡＣユニットの現在のモードを、暖房信号が前記第２のサーモスタット入力において有効にされているときは暖房モードに設定し、又は冷房信号が前記第２のサーモスタット入力において有効にされているときは冷房モードに設定することと、
前記第２のサーモスタット入力に基づいて、前記ＨＶＡＣユニットの前記現行能力比率を、前記第１の能力比率と異なる第２の能力比率に設定することと、
前記ＨＶＡＣユニットから受信された第２の温度データに基づいて、第２の部屋暖房／冷房変化速度を計算することと、
前記第２の部屋暖房／冷房変化速度を第２の閾値と比較することと、
前記第２の部屋暖房／冷房変化速度が前記第２の閾値と等しい場合、前記現行能力比率に維持することと、
前記第２の部屋暖房／冷房変化速度が前記第２の閾値を上回っている場合、前記現行能力比率を第３の冷房増分ずつ最低で０％まで下げることと、
前記第２の部屋暖房／冷房変化速度が前記第２の閾値を下回っている場合、前記現行能力比率を第４の冷房増分ずつ最高で１００％まで上げることと、
を更に実施するものである、請求項１７〜１９のいずれか１項に記載の非一時的コンピューター可読媒体。
【請求項２１】
前記現在のモードが前記暖房モードである場合、前記第１の部屋暖房／冷房変化速度は前記現在の室温変化速度と等しく、
前記現在のモードが前記冷房モードである場合、前記第１の部屋暖房／冷房変化速度は、前記現在の室温変化速度に−１を乗算したものと等しい、
請求項１７〜１９のいずれか１項に記載の非一時的コンピューター可読媒体。
【請求項２２】
前記第１の冷房増分は、前記第１の閾値と前記第１の部屋暖房／冷房変化速度との第１の関数であり、
前記第２の冷房増分は、前記第１の閾値と前記第１の部屋暖房／冷房変化速度との第２の関数である、
請求項１７〜１９のいずれか１項に記載の非一時的コンピューター可読媒体。
【請求項２３】
前記現在のモードが前記暖房モードである場合、前記第２の部屋暖房／冷房変化速度は前記現在の室温変化速度と等しく、
前記現在のモードが前記冷房モードである場合、前記第２の部屋暖房／冷房変化速度は、前記現在の室温変化速度に−１を乗算したものと等しい、
請求項２０に記載の非一時的コンピューター可読媒体。
【請求項２４】
前記第３の冷房増分は、前記第２の閾値と前記第２の部屋暖房／冷房変化速度との第１の関数であり、
前記第４の冷房増分は、前記第２の閾値と前記第２の部屋暖房／冷房変化速度との第２の関数である、
請求項２０に記載の非一時的コンピューター可読媒体。
【請求項２５】
暖房換気空調（ＨＶＡＣ）ユニットを制御する方法であって、該方法は、前記ＨＶＡＣユニットからの温度データに基づいて現行能力比率を用いて暖房モード又は冷房モードにおいて動作し、
サーモスタットから４ステージング信号を受信することと、
前記４ステージング信号が第１ステージ冷房信号、第２ステージ冷房信号、第１ステージ暖房信号、若しくは第２ステージ暖房信号であるか又はオフであるかを決定することと、
前記４ステージング信号が前記第１ステージ冷房信号であるとき、
前記ＨＶＡＣユニットから受信された、第１の時点の室温と前記第１の時点よりも以前の第２の時点の室温とを含む第１の温度データに基づいて第１の部屋暖房／冷房変化速度を計算することと、
前記第１の部屋暖房／冷房変化速度を第１の閾値と比較することと、
前記第１の部屋暖房／冷房変化速度が前記第１の閾値を上回っている場合には前記現行能力比率を第１の冷房増分ずつ最低で０％まで下げ、又は前記第１の部屋暖房／冷房変化速度が前記第１の閾値を下回っている場合には前記現行能力比率を第２の冷房増分ずつ最高で１００％まで上げることによって、前記ＨＶＡＣユニットの能力比率を制御することと、
前記４ステージング信号が前記第２ステージ冷房信号であるとき、
第１の温度データに基づいて第１の部屋暖房／冷房変化速度を計算することと、
前記第１の部屋暖房／冷房変化速度を第２の閾値と比較することと、
前記第１の部屋暖房／冷房変化速度が第２の閾値を上回っている場合には前記現行能力比率を第３の冷房増分ずつ最低で０％まで下げ、又は前記第１の部屋暖房／冷房変化速度が前記第２の閾値を下回っている場合には前記現行能力比率を第４の冷房増分ずつ最高で１００％まで上げることによって、前記ＨＶＡＣユニットの能力比率を制御することと、
を含み、
前記第２の閾値は、前記第１の閾値とは異なり、
前記第３の冷房増分は、前記第１の冷房増分とは異なり、
前記第４の冷房増分は、前記第２の冷房増分とは異なる
暖房換気空調ユニットを制御する方法。
【請求項２６】
コンピューターによって実行される命令を含む非一時的コンピューター可読媒体であって、前記命令は、暖房換気空調（ＨＶＡＣ）ユニットを制御する方法を提供するコンピューターに実施される方法を含み、前記命令は、
サーモスタットから４ステージング信号を受信することと、
前記４ステージング信号が第１ステージ冷房信号、第２ステージ冷房信号、第１ステージ暖房信号、若しくは第２ステージ暖房信号であるか又はオフであるかを決定することと、
前記４ステージング信号が前記第１ステージ冷房信号であるとき、
前記ＨＶＡＣユニットから受信された、第１の時点の室温と前記第１の時点よりも以前の第２の時点の室温とを含む第１の温度データに基づいて第１の部屋暖房／冷房変化速度を計算することと、
前記第１の部屋暖房／冷房変化速度を第１の閾値と比較することと、
前記第１の部屋暖房／冷房変化速度が前記第１の閾値を上回っている場合には現行能力比率を第１の冷房増分ずつ最低で０％まで下げ、又は前記第１の部屋暖房／冷房変化速度が前記第１の閾値を下回っている場合には前記現行能力比率を第２の冷房増分ずつ最高で１００％まで上げることによって、前記ＨＶＡＣユニットの能力比率を制御することと、
前記４ステージング信号が前記第２ステージ冷房信号であるとき、
第１の温度データに基づいて第１の部屋暖房／冷房変化速度を計算することと、
前記第１の部屋暖房／冷房変化速度を第２の閾値と比較することと、
前記第１の部屋暖房／冷房変化速度が第２の閾値を上回っている場合には前記現行能力比率を第３の冷房増分ずつ最低で０％まで下げ、又は前記第１の部屋暖房／冷房変化速度が前記第２の閾値を下回っている場合には前記現行能力比率を第４の冷房増分ずつ最高で１００％まで上げることによって、前記ＨＶＡＣユニットの能力比率を制御することと、
を含み、
前記第２の閾値は、前記第１の閾値とは異なり、
前記第３の冷房増分は、前記第１の冷房増分とは異なり、
前記第４の冷房増分は、前記第２の冷房増分とは異なる
ものである、非一時的コンピューター可読媒体。
【発明の詳細な説明】
【技術分野】
【０００１】
本発明は、包括的には、外部のサーモスタットによって制御される暖房換気空調（ＨＶＡＣ）システムに関する。より詳細には、本発明は、単一ステージ又は複数ステージのサーモスタットに接続されたＨＶＡＣシステムの動作を制御する方法及び非一時的コンピューター可読媒体に関する。
【背景技術】
【０００２】
サーモスタットは、当該サーモスタットによって測定されたパラメーターに基づいて暖房換気空調（ＨＶＡＣ）システムを制御する信号を提供する温度感知スイッチ又はスイッチの集合体である。米国のサーモスタットは、通常、冷房又は暖房がいつ必要とされるのかを示す単純なＯＮ／ＯＦＦ信号を提供する。例えば、サーモスタットにおけるパラメーターが、ＨＶＡＣシステムがエリアを冷房していくべきであることを示しているとき、冷房信号はＯＮであり、暖房信号はＯＦＦである。同様に、サーモスタットにおけるパラメーターが、ＨＶＡＣシステムがエリアを暖房していくべきであることを示しているとき、暖房信号はＯＮであり、冷房信号はＯＦＦである。
【０００３】
しかしながら、効率を高めるとともに競走上の優位性を獲得しようとする努力の一環として、多くのＨＶＡＣ製造業者は、複数の動作ステージを可能にするＨＶＡＣシステムを製作してきた。これらの複数のステージは、異なるレベルの暖房又は冷房を可能にする。例えば、２ステージ暖房システムは、暖房炉及びヒートポンプの使用を伴うことができる。低暖房ステージでは、ヒートポンプのみが動作し、高暖房ステージでは、ヒートポンプ及び暖房炉の双方が動作する。同様に、２ステージ冷房システムは、２つのコンプレッサーの使用を伴うことができる。低冷房ステージでは、これらのコンプレッサーのうちの一方のみが動作し、高冷房ステージでは、双方のコンプレッサーが動作する。このように、複数ステージユニットは、需要が増加するにつれて、その需要を満たすために、余分の能力をオンラインにすることによって対応することができる。
【０００４】
複数ステージシステムは、それらの複数のレベルの暖房又は冷房を用いてエネルギーを節約することができる。電灯スイッチにあるディマーと非常に類似しているように、複数のステージによって、システムは、現在の状況（例えば、外部温度）に基づいて暖房又は冷房のレベルを調整することが可能になる。その結果、複数ステージシステムは、必要とされる最低レベルの暖房又は冷房を用いることができ、状況がより高いレベルを必要としているときにのみそれらのより高いレベルを用いることができる。
【０００５】
したがって、様々なＨＶＡＣ機器製造業者は、市場の需要を満たすように複数ステージシステムを開発してきた。しかしながら、多くの製造業者は、それらの製造業者の機器とともに用いられる自身のサーモスタットを構築していない。その代わり、これらの製造業者は、それらの製造業者の機器とともに用いられる複数ステージサーモスタットを納品する他のサーモスタット製造業者に依拠している。その結果、ＨＶＡＣ機器製造業者は、多くの場合、それらの製造業者が用いるサーモスタットからどのような信号を受け取るのかについての自由がない。
【０００６】
多くの米国の単一ステージサーモスタットと同様に、多くの米国の複数ステージサーモスタットは、異なる冷房ステージ又は暖房ステージがいつ必要とされるのかを示す単純なＯＮ／ＯＦＦ信号を単に提供するだけである。例えば、米国の２ステージ温度計は、第１ステージ冷房信号、第２ステージ冷房信号、第１ステージ暖房信号、及び第２ステージ暖房信号の４つの信号を提供することができる。サーモスタットにおけるパラメーターが、ＨＶＡＣシステムが第１ステージ冷房を用いてエリアを冷房していくべきであることを示しているとき、第１ステージ冷房信号はＯＮであり、他の３つの信号はＯＦＦである。サーモスタットにおけるパラメーターが、ＨＶＡＣシステムが第２ステージ冷房を用いてエリアを冷房していくべきであることを示しているとき、第２ステージ冷房信号はＯＮであり、少なくとも２つの暖房信号はＯＦＦである。サーモスタットにおけるパラメーターが、ＨＶＡＣシステムが第１ステージ暖房を用いてエリアを冷房していくべきであることを示しているとき、第１ステージ暖房信号はＯＮであり、他の３つの信号はＯＦＦである。サーモスタットにおけるパラメーターが、ＨＶＡＣシステムが第２ステージ暖房を用いてエリアを暖房していくべきであることを示しているとき、第２ステージ暖房信号はＯＮであり、少なくとも２つの冷房信号はＯＦＦである。
【０００７】
したがって、これらの信号によって提供される情報は比較的単純である。その結果、従来の複数ステージＨＶＡＣシステムは、多くの場合、２つのステージ間の境界上で（例えば、温度閾値の近くで）動作しているとき、ステージ間を高速に切り替える。これは、ＨＶＡＣ機器が短い時間周期で繰り返しオン及びオフされることを引き起こす可能性があり、システム全体の総体的な効率を低下させる。
【発明の概要】
【発明が解決しようとする課題】
【０００８】
したがって、複数ステージＨＶＡＣユニットの動作をよりきめ細かくすることを可能にする、当該ＨＶＡＣユニットを制御する方法及び非一時的コンピューター可読媒体を提供することが望ましい。
【課題を解決するための手段】
【０００９】
暖房換気空調（ＨＶＡＣ）ユニットを制御する方法が提供される。この方法は、サーモスタットから第１のサーモスタット入力を受信することと、前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、前記第１のサーモスタット入力に基づいて、前記ＨＶＡＣユニットの現行能力比率を第１の能力比率に設定することと、前記ＨＶＡＣユニットから受信された、第１の時点の室温と第１の時点よりも以前の第２の時点の室温とを含む第１の温度データに基づいて、第１の部屋暖房／冷房変化速度を計算することと、前記第１の部屋暖房／冷房変化速度を第１の閾値と比較することと、前記第１の部屋暖房／冷房変化速度が前記第１の閾値と等しい場合、前記ＨＶＡＣユニットを前記第１の能力比率に維持することと、前記第１の部屋暖房／冷房変化速度が前記第１の閾値を上回っている場合、前記現行能力比率を第１の冷房増分ずつ最低で０％まで下げることと、前記第１の部屋暖房／冷房変化速度が前記第１の閾値を下回っている場合、前記現行能力比率を第２の冷房増分ずつ最高で１００％まで上げることと、前記現行能力比率を維持すること、前記現行能力比率を下げること、又は前記現行能力比率を上げることのいずれかの後に、前記サーモスタットからオフインジケーターを受信することと、現在の室温を前記ＨＶＡＣの設定点温度として設定して、前記現在のモードに維持することと、第１のタイムアウト期間の間、前記サーモスタットから更なる信号を待機することと、前記第１のタイムアウト期間中、前記サーモスタットから前記オフインジケーターのみを受信することと、前記現在のモードにおいて前記ＨＶＡＣユニットを最小能力比率に設定することと、第２のタイムアウト期間の間、前記サーモスタットから更なる信号を待機することと、前記第２のタイムアウト期間中、前記サーモスタットから前記オフインジケーターのみを受信することと、前記ＨＶＡＣユニットをオフにすることと、を含む。
【００１０】
前記第１のサーモスタット入力を受信する動作を第１の動作とし、前記ＨＶＡＣユニットの前記現在のモードを設定する動作を第２の動作とし、前記ＨＶＡＣユニットを前記第１の能力比率に設定する動作を第３の動作とし、前記第１の部屋暖房／冷房変化速度を計算する動作を第４の動作とし、前記第１の部屋暖房／冷房変化速度を前記第１の閾値と比較する動作を第５の動作とし、前記現行能力比率を維持する動作、前記現行能力比率を下げる動作、又は前記現行能力比率を上げる動作を第６の動作としたとき、前記第１の動作、前記第２の動作、前記第３の動作、前記第４の動作、前記第５の動作及び前記第６の動作は、複数回繰り返すことができる。
【００１１】
前記現在のモードが前記暖房モードである場合、前記第１の部屋暖房／冷房変化速度は現在の室温変化速度と等しくすることができ、前記現在のモードが前記冷房モードである場合、前記第１の部屋暖房／冷房変化速度は、前記現在の室温変化速度に−１を乗算したものと等しくすることができる。
【００１２】
前記第１の能力比率は、１％以上５０％以下とすることができる。前記第１の冷房増分は、５％以上２０％以下とすることができ、前記第２の冷房増分は、５％以上２０％以下とすることができる。
【００１３】
前記第１の冷房増分は、前記第１の冷房閾値と前記第１の部屋暖房／冷房変化速度との第１の関数とすることができ、前記第２の冷房増分は、前記第１の冷房閾値と前記第１の部屋暖房／冷房変化速度との第２の関数とすることができる。
【００１４】
本方法は、前記サーモスタットから第２のサーモスタット入力を受信することと、前記ＨＶＡＣユニットの現在のモードを、暖房信号が前記第２のサーモスタット入力において有効にされているときは暖房モードに設定し、又は冷房信号が前記第２のサーモスタット入力において有効にされているときは冷房モードに設定することと、前記第２のサーモスタット入力に基づいて、前記ＨＶＡＣユニットの前記現行能力比率を、前記第１の能力比率と異なる第２の能力比率に設定することと、前記ＨＶＡＣユニットから受信された第２の温度データに基づいて、第２の部屋暖房／冷房変化速度を計算することと、前記第２の部屋暖房／冷房変化速度を第２の閾値と比較することと、前記第２の部屋暖房／冷房変化速度が前記第２の閾値と等しい場合、前記現行能力比率を維持することと、前記第２の部屋暖房／冷房変化速度が前記第２の閾値を上回っている場合、前記現行能力比率を第３の冷房増分ずつ最低で０％まで下げることと、前記第２の部屋暖房／冷房変化速度が前記第２の閾値を下回っている場合、前記現行能力比率を第４の冷房増分ずつ最高で１００％まで上げることと、を更に含むことができる。
【００１５】
前記第２のサーモスタット入力を受信する動作を第１の動作とし、前記ＨＶＡＣユニットの前記現在のモードを設定する動作を第２の動作とし、前記ＨＶＡＣユニットを前記第２の能力比率に設定する動作を第３の動作とし、前記第２の部屋暖房／冷房変化速度を計算する動作を第４の動作とし、前記第２の部屋暖房／冷房変化速度を前記第２の閾値と比較する動作を第５の動作とし、前記現行能力比率を維持する動作、前記現行能力比率を下げる動作、又は前記現行能力比率を上げる動作を第６の動作としたとき、前記第１の動作、前記第２の動作、前記第３の動作、前記第４の動作、前記第５の動作及び前記第６の動作は、複数回繰り返すことができる。
【００１６】
前記現在のモードが前記暖房モードである場合、前記第２の部屋暖房／冷房変化速度は前記現在の室温変化速度と等しくすることができ、前記現在のモードが前記冷房モードである場合、前記第２の部屋暖房／冷房変化速度は、前記現在の室温変化速度に−１を乗算したものと等しくすることができる。
【００１７】
前記第２の能力比率は、５０％以上１００％以下とすることができる。前記第３の冷房増分は、５％以上２０％以下とすることができ、前記第４の冷房増分は、５％以上２０％以下とすることができる。
【００１８】
前記第３の冷房増分は、前記第２の閾値と前記第２の部屋暖房／冷房変化速度との第１の関数とすることができ、前記第４の冷房増分は、前記第２の閾値と前記第２の部屋暖房／冷房変化速度との第２の関数とすることができる。
【００２０】
前記現行能力比率を維持すること、前記現行能力比率を下げること、又は前記現行能力比率を上げることのいずれかの後に、前記サーモスタットからオフインジケーターを受信することと、現在の室温を前記ＨＶＡＣの設定点温度として設定して維持することと、第１のタイムアウト期間中に前記サーモスタットから第３のサーモスタット入力を受信することと、前記ＨＶＡＣユニットの前記現在のモードを、暖房信号が前記第３のサーモスタット入力において有効にされているときは暖房モードに設定し、又は冷房信号が前記第３のサーモスタット入力において有効にされているときは冷房モードに設定することと、前記第３のサーモスタット入力値に基づいて、前記ＨＶＡＣユニットの前記現行能力比率を第３の能力比率に設定することと、前記ＨＶＡＣユニットから受信された第３の温度データに基づいて第３の部屋暖房／冷房変化速度を計算することと、前記第３の部屋暖房／冷房変化速度を第３の閾値と比較することと、前記第３の部屋暖房／冷房変化速度が前記第３の閾値と等しい場合、前記現行能力比率を維持することと、前記第３の部屋暖房／冷房変化速度が前記第３の閾値を上回っている場合、前記現行能力比率を第５の冷房増分ずつ最低で０％まで下げることと、前記第３の部屋暖房／冷房変化速度が前記第３の閾値を下回っている場合、前記現行能力比率を第６の冷房増分ずつ最高で１００％まで上げることと、を更に含むことができる。
【００２１】
前記第１の部屋暖房／冷房変化速度を第１の閾値及び第４の閾値と比較することと、前記第１の部屋暖房／冷房変化速度が、前記第１の閾値及び前記第４の閾値を含む両閾値の間にある場合、前記現行能力比率を維持することと、前記第１の部屋暖房／冷房変化速度が前記第１の閾値を上回っている場合、前記現行能力比率を前記第１の冷房増分ずつ最低で０％まで下げることと、前記第１の部屋暖房／冷房変化速度が前記第４の閾値を下回っている場合、前記現行能力比率を第２の冷房増分ずつ最大で１００％まで上げることと、を更に含むことができる。
【００２２】
暖房換気空調（ＨＶＡＣ）ユニットを制御する方法が提供される。この方法は、サーモスタットから第１のサーモスタット入力を受信することと、前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、前記第１のサーモスタット入力に基づいて、前記ＨＶＡＣユニットの現行能力比率を第１の能力に設定することと、前記ＨＶＡＣユニットの前記現在のモードを設定した後に、前記サーモスタットからオフインジケーターを受信することと、現在の室温を前記ＨＶＡＣの設定点温度として設定して、前記現在のモードに維持することと、第１のタイムアウト期間の間、前記サーモスタットから更なる信号を待機することと、前記第１のタイムアウト期間中、前記サーモスタットから前記オフインジケーターのみを受信することと、前記第１のタイムアウト期間中に前記サーモスタットから前記オフインジケーターのみを受信した後に、前記現在のモードにおいて前記ＨＶＡＣユニットの前記現行能力比率を最小能力に設定することと、第２のタイムアウト期間の間、前記サーモスタットから更なる信号を待機することと、前記第２のタイムアウト期間中、前記サーモスタットから前記オフインジケーターのみを受信することと、前記第２のタイムアウト期間中に前記サーモスタットから前記オフインジケーターのみを受信した後に、前記ＨＶＡＣユニットをオフにすることと、を含む。
【００２３】
前記第１のタイムアウト期間は０分〜３０分とすることができ、前記第２のタイムアウト期間は０分〜３０分とすることができ、前記第１のタイムアウト期間及び前記第２のタイムアウト期間のうちの少なくとも一方は０よりも大きくすることができる。
【００２４】
コンピューターによって実行される命令を含む非一時的コンピューター可読媒体が提供される。前記命令は、暖房換気空調（ＨＶＡＣ）ユニットを制御する方法を提供するコンピューター実施される方法を含み、前記命令は、サーモスタットから第１のサーモスタット入力を受信することと、前記ＨＶＡＣユニットの現在のモードを、暖房信号が前記第１のサーモスタット入力において有効にされているときは暖房モードに設定し、又は冷房信号が前記第１のサーモスタット入力において有効にされているときは冷房モードに設定することと、前記第１のサーモスタット入力に基づいて、前記ＨＶＡＣユニットの現行能力比率を第１の能力比率に設定することと、前記ＨＶＡＣユニットから受信された、第１の時点の室温と第１の時点よりも以前の第２の時点の室温とを含む第１の温度データに基づいて、第１の部屋暖房／冷房変化速度を計算することと、前記第１の部屋暖房／冷房変化速度を第１の閾値と比較することと、前記第１の部屋暖房／冷房変化速度が前記第１の閾値と等しい場合、前記ＨＶＡＣユニットを前記第１の能力比率に維持することと、前記第１の部屋暖房／冷房変化速度が前記第１の閾値を上回っている場合、前記現行能力比率を第１の冷房増分ずつ最低で０％まで下げることと、前記第１の部屋暖房／冷房変化速度が前記第１の閾値を下回っている場合、前記現行能力比率を第２の冷房増分ずつ最高で１００％まで上げることと、前記現行能力比率を維持すること、前記現行能力比率を下げること、又は前記現行能力比率を上げることのいずれかの後に、前記サーモスタットからオフインジケーターを受信することと、現在の室温を前記ＨＶＡＣの設定点温度として設定して、前記現在のモードに維持することと、第１のタイムアウト期間の間、前記サーモスタットから更なる信号を待機することと、前記第１のタイムアウト期間中、前記サーモスタットから前記オフインジケーターのみを受信することと、前記現在のモードにおいて前記ＨＶＡＣユニットを最小能力比率に設定することと、第２のタイムアウト期間の間、前記サーモスタットから更なる信号を待機することと、前記第２のタイムアウト期間中、前記サーモスタットから前記オフインジケーターのみを受信することと、前記ＨＶＡＣユニットをオフにすることと、を実施するものである。
【００２５】
前記命令は、前記サーモスタットから第２のサーモスタット入力を受信することと、前記ＨＶＡＣユニットの現在のモードを、暖房信号が前記第２のサーモスタット入力において有効にされているときは暖房モードに設定し、又は冷房信号が前記第２のサーモスタット入力において有効にされているときは冷房モードに設定することと、前記第２のサーモスタット入力に基づいて、前記ＨＶＡＣユニットの前記現行能力比率を、前記第１の能力比率と異なる第２の能力比率に設定することと、前記ＨＶＡＣユニットから受信された第２の温度データに基づいて、第２の部屋暖房／冷房変化速度を計算することと、前記第２の部屋暖房／冷房変化速度を第２の閾値と比較することと、前記第２の部屋暖房／冷房変化速度が前記第２の閾値と等しい場合、前記現行能力比率に維持することと、前記第２の部屋暖房／冷房変化速度が前記第２の閾値を上回っている場合、前記現行能力比率を第３の冷房増分ずつ最低で０％まで下げることと、前記第２の部屋暖房／冷房変化速度が前記第２の閾値を下回っている場合、前記現行能力比率を第４の冷房増分ずつ最高で１００％まで上げることと、を更に実施するものとすることができる。
【００２７】
前記命令は、前記現行能力比率を維持すること、前記現行能力比率を下げること、又は前記現行能力比率を上げることのいずれかの後に、前記サーモスタットからオフインジケーターを受信することと、現在の室温を前記ＨＶＡＣの設定点温度として設定して維持することと、第１のタイムアウト期間中に前記サーモスタットから第３のサーモスタット入力を受信することと、前記ＨＶＡＣユニットの前記現在のモードを、暖房信号が前記第３のサーモスタット入力において有効にされているときは暖房モードに設定し、又は冷房信号が前記第３のサーモスタット入力において有効にされているときは冷房モードに設定することと、前記第３のサーモスタット入力に基づいて、前記ＨＶＡＣユニットの前記現行能力比率を第３の能力比率に設定することと、前記ＨＶＡＣユニットから受信された第３の温度データに基づいて第３の部屋暖房／冷房変化速度を計算することと、前記第３の部屋暖房／冷房変化速度を第３の閾値と比較することと、前記第３の部屋暖房／冷房変化速度が前記第３の閾値と等しい場合、前記現行能力比率を維持することと、前記第３の部屋暖房／冷房変化速度が前記第３の閾値を上回っている場合、前記現行能力比率を第５の冷房増分ずつ最低で０％まで下げることと、前記第３の部屋暖房／冷房変化速度が前記第３の閾値を上回っている場合、前記現行能力比率を第６の冷房増分ずつ最高で１００％まで上げることと、を更に実施するものとすることができる。
【００２８】
前記現在のモードが前記暖房モードである場合、前記第１の部屋暖房／冷房変化速度は前記現在の室温変化速度と等しくすることができ、前記現在のモードが前記冷房モードである場合、前記第１の部屋暖房／冷房変化速度は、前記現在の室温変化速度に−１を乗算したものと等しくすることができる。
【００２９】
前記第１の冷房増分は、前記第１の冷房閾値と前記第１の部屋暖房／冷房変化速度との第１の関数とすることができ、前記第２の冷房増分は、前記第１の冷房閾値と前記第１の部屋暖房／冷房変化速度との第２の関数とすることができる。
【００３０】
前記現在のモードが前記暖房モードである場合、前記第２の部屋暖房／冷房変化速度は前記現在の室温変化速度と等しくすることができ、前記現在のモードが前記冷房モードである場合、前記第２の部屋暖房／冷房変化速度は、前記現在の室温変化速度に−１を乗算したものと等しくすることができる。
【００３１】
前記第３の冷房増分は、前記第２の冷房閾値と前記第２の部屋暖房／冷房変化速度との第１の関数とすることができ、前記第４の冷房増分は、前記第２の冷房閾値と前記第２の部屋暖房／冷房変化速度との第２の関数とすることができる。
【００３２】
前記命令は、前記現行能力を維持すること、前記現行能力を下げること、又は前記現行能力を上げることのいずれかの後に、前記サーモスタットからオフインジケーターを受信することと、現在の室温を前記ＨＶＡＣの設定点温度として設定して、前記現在のモードに維持することと、第１のタイムアウト期間の間、前記サーモスタットから更なる信号を待機することと、前記第１のタイムアウト期間中、前記サーモスタットから前記オフインジケーターのみを受信することと、前記現在のモードにおいて前記ＨＶＡＣユニットを最小能力比率に設定することと、第２のタイムアウト期間の間、前記サーモスタットから更なる信号を待機することと、前記第２のタイムアウト期間中、前記サーモスタットから前記オフインジケーターのみを受信することと、前記ＨＶＡＣユニットをオフにすることと、を更に実施するものとすることができる。
【００３３】
前記命令は、前記現行能力を維持すること、前記現行能力を下げること、又は前記現行能力を上げることのいずれかの後に、前記サーモスタットからオフインジケーターを受信することと、現在の室温を前記ＨＶＡＣの設定点温度として設定して維持することと、第１のタイムアウト期間中に前記サーモスタットから第３のサーモスタット入力を受信することと、前記ＨＶＡＣユニットの前記現在のモードを、暖房信号が前記第３のサーモスタット入力において有効にされているときは暖房モードに設定し、又は冷房信号が前記第３のサーモスタット入力において有効にされているときは冷房モードに設定することと、前記第３のサーモスタット入力に基づいて、前記ＨＶＡＣユニットの前記現行能力比率を第３の能力比率に設定することと、前記ＨＶＡＣユニットから受信された第３の温度データに基づいて第３の部屋暖房／冷房変化速度を計算することと、前記第３の部屋暖房／冷房変化速度を第３の閾値と比較することと、前記第３の部屋暖房／冷房変化速度が前記第３の閾値と等しい場合、前記現行能力比率を維持することと、前記第３の部屋暖房／冷房変化速度が前記第３の閾値を上回っている場合、前記現行能力比率を第５の冷房増分ずつ最低で０％まで下げることと、前記第３の部屋暖房／冷房変化速度が前記第３の閾値を上回っている場合、前記現行能力比率を第６の冷房増分ずつ最高で１００％まで上げることと、を更に実施するものとすることができる。
【００３４】
前記命令は、前記第１の部屋暖房／冷房変化速度を第１の閾値及び第４の閾値と比較することと、前記第１の部屋暖房／冷房変化速度が、前記第１の閾値及び前記第４の閾値を含む両閾値の間にある場合、前記現行能力比率を維持することと、前記第１の部屋暖房／冷房変化速度が前記第１の閾値を上回っている場合、前記現行能力を前記第１の冷房増分ずつ最低で０％まで下げることと、前記第１の部屋暖房／冷房変化速度が前記第４の閾値を下回っている場合、前記現行能力を第２の冷房増分ずつ最大で１００％まで上げることと、を更に実施するものとすることができる。
【００３５】
添付した図は、一例示的な実施形態を更に示すとともに、本発明による様々な原理及び利点を説明するように機能する。これらの図において、同様の参照符号は、同一又は機能的に類似の要素を参照し、また、これらの図は、以下の詳細な説明とともに、本明細書に組み込まれて、本明細書の一部をなす。
【図面の簡単な説明】
【００３６】
【図１】開示された実施形態によるＨＶＡＣシステムのブロック図である。
【図２】開示された実施形態による図１のＨＶＡＣインターフェースの全体動作のフローチャートである。
【図３】開示された実施形態による図１の第１の冷房動作のフローチャートである。
【図４】開示された実施形態による図１の第２の冷房動作のフローチャートである。
【図５】開示された実施形態による図１の第１の暖房動作のフローチャートである。
【図６】開示された実施形態による図１の第２の暖房動作のフローチャートである。
【図７】開示された実施形態による図１の温度維持動作のフローチャートである。
【図８】開示された実施形態による図１の設定点探索動作のフローチャートである。
【図９】開示された実施形態による、ＨＶＡＣユニットの現行能力比率が削減されるべき第１の冷房動作又は第２の冷房動作の態様を示すグラフである。
【図１０】開示された実施形態による、ＨＶＡＣユニットの現行能力比率が増加されるべき第１の冷房動作又は第２の冷房動作の態様を示すグラフである。
【図１１】開示された実施形態による、ＨＶＡＣユニットの現行能力比率が維持されるべき第１の冷房動作又は第２の冷房動作の態様を示すグラフである。
【図１２】開示された実施形態による、ＨＶＡＣユニットの現行能力比率が削減されるべき第１の冷房動作又は暖房冷房動作の態様を示すグラフである。
【図１３】開示された実施形態による、ＨＶＡＣユニットの現行能力比率が拡張されるべき第１の冷房動作又は暖房冷房動作の態様を示すグラフである。
【図１４】開示された実施形態による、ＨＶＡＣユニットの現行能力比率が維持されるべき第１の暖房動作又は第２の暖房動作の態様を示すグラフである。
【図１５】開示された代替の実施形態による図１の第１の冷房のフローチャートである。
【図１６】開示された代替の実施形態による、ＨＶＡＣユニットの現行能力比率が削減されるべき第１の冷房動作又は第２の冷房動作の態様を示すグラフである。
【図１７】開示された代替の実施形態による、ＨＶＡＣユニットの現行能力比率が拡張されるべき第１の冷房動作又は第２の冷房動作の態様を示すグラフである。
【図１８】開示された代替の実施形態による、ＨＶＡＣユニットの現行能力比率が維持されるべき第１の冷房動作又は第２の冷房動作の態様を示すグラフである。
【発明を実施するための形態】
【００３７】
本開示は、本発明の１つ又は複数の実施形態を実行する最良の形態を実施可能な形式で更に説明するために提供されている。本開示は、本開示の発明に関する原理及び利点の理解及び認識を高めるために更に提供されており、本発明を何らかの方法で限定するために提供されているものではない。本発明は、本出願の係属中になされた任意の補正を含む添付の特許請求の範囲と、発行された特許請求の範囲の全ての均等物とによってのみ画定される。
【００３８】
第１及び第２等の関係を示す用語が用いられている場合、これらの用語は、或る実在物、項目、又は動作を別の実在物、項目、又は動作と区別するためにのみ用いられており、そのような実在物、項目、又は動作の間の何らかの実際のそのような関係又は順序を必ずしも必要とするものでもなければ、暗に意味するものでもないことが更に理解される。同様に、前部、後部、側部、上部、及び底部等の位置に関する用語は、或る特定の方位の基準点を提供するとともに明瞭性を向上させるためにのみ用いられている。それらの使用は、そのような方位が必要とされることを暗に意味するものではない。動作中、開示されたエアハンドリング（air handling）ユニットは、任意の所望の方位において用いることができる。
【００３９】
ＨＶＡＣシステム
図１は、開示された実施形態によるＨＶＡＣシステム１００のブロック図である。図１に示すように、ＨＶＡＣシステム１００は、サーモスタット１１０、ＨＶＡＣインターフェース１２０、及びＨＶＡＣユニット１３０を備える。ＨＶＡＣインターフェース１２０は、端子ブロック１３５、アイソレーター１４０、インターフェースコントローラー１４５、比較器１５０、メモリ１５５、及びＨＶＡＣコントローラー１６０を備える。
【００４０】
サーモスタット１１０は、ＨＶＡＣユニット１３０を制御する４つの可能なステージング信号、すなわち、第１ステージ冷房信号、第１ステージ、第２ステージ冷房信号、第１ステージ暖房信号、及び第２ステージ暖房信号を提供するように構成された４ステージサーモスタット（すなわち、２ステージ冷房及び２ステージ暖房）である。これらのステージング信号のそれぞれは、単純なＯＮ／ＯＦＦ信号であり、サーモスタット１１０は、ＯＮ状態において一時に１つのステージング信号のみを提供する。本開示において、ステージング信号は、ＯＮ状態にあるときにのみ出力されており、後に受信されるものとみなされる。サーモスタット１１０がどのステージング信号も出力しない（すなわち、これらのステージング信号の全てがＯＦＦ状態にある）場合、これは、ＨＶＡＣユニット１３０がオフにされるべきことをサーモスタットが示すものである。
【００４１】
ＨＶＡＣインターフェース１２０は、サーモスタット１１０とＨＶＡＣユニット１３０との間のインターフェースとして動作する。このＨＶＡＣインターフェースは、４つのステージング信号を含む信号をサーモスタット１１０から受信し、これらのステージング信号を用いて、ＨＶＡＣユニット１３０の動作を制御する。
【００４２】
ＨＶＡＣユニット１３０は、暖房モードにあるのか又は冷房モードにあるのかに応じて暖房又は冷房を提供するように構成された可変能力ＨＶＡＣデバイスである。いずれのモードにおいても、ＨＶＡＣユニット１３０は、０％〜１００％の現行能力比率において動作することができる。この現行能力比率は、最大可能暖房又は最大可能冷房のどの比率が提供されているのかを表す。
【００４３】
例えば、ＨＶＡＣユニット１３０は、２００００ＢＴＵＨの最大可能冷房ポテンシャルを有する場合、１００％の冷房能力比率において２００００ＢＴＵＨを提供する。一方、ＨＶＡＣユニット１３０は、冷房モードにおいて７５％の現行能力比率に設定されている場合、１５０００ＢＴＵＨの冷房能力しか提供しない。同様に、ＨＶＡＣユニット１３０は、冷房モードにおいて２５％の現行能力比率に設定されている場合、５０００ＢＴＵＨの冷房能力しか提供しない。同じことは、暖房能力比率の関数としての暖房能力にも当てはまる。
【００４４】
端子ブロック１３５は、暖房信号及び冷房信号をサーモスタット１１０から受信するように動作する。
【００４５】
アイソレーター１４０は、端子ブロック１３５において提供される電圧をＨＶＡＣインターフェース１２０の他のものから絶縁するように動作する。
【００４６】
インターフェースコントローラー１４５は、ＨＶＡＣインターフェース１２０の動作、具体的には、比較器１５０、メモリ１５５、及びＨＶＡＣコントローラー１６０の動作を制御するように構成されている。インターフェースコントローラー１４５は、端子ブロック１３５及びアイソレーター１４０を介してサーモスタット１１０から受信されるステージング信号に応答して動作する。
【００４７】
比較器１５０は、数値を閾値と比較し、その数値が閾値と等しいのか、閾値よりも大きいのか、又は閾値よりも小さいのかを判断するように構成されている。比較器１５０は、部屋冷房変化速度（ｄＴＣ）を冷房閾値（ＴＣ）と比較するか又は部屋暖房変化速度（ｄＴＨ）を暖房閾値（ＴＨ）と比較するのに用いられる。
【００４８】
メモリ１５５は、インターフェースコントローラー１４５及びＨＶＡＣコントローラー１６０を動作させる命令、並びにＨＶＡＣユニット１３０によって提供される複数の温度値を記憶するように構成されている。
【００４９】
ＨＶＡＣコントローラー１６０は、ＨＶＡＣユニット１３０の動作を制御するように構成されている。特に、ＨＶＡＣコントローラー１６０は、ＨＶＡＣユニット１３０が暖房モードにあるべきか又は冷房モードにあるべきかについてＨＶＡＣユニット１３０に命令することができ、特定の温度を維持するようにＨＶＡＣユニット１３０に命令することができ、ＨＶＡＣユニット１３０の現行能力比率を制御することができ、オン及びオフになるようにＨＶＡＣユニット１３０に命令することができる。
【００５０】
インターフェースコントローラー１４５、比較器１５０、及びＨＶＡＣコントローラー１６０の機能は、マイクロプロセッサ、特定用途向け命令セットプロセッサ（ＡＳＩＰ）、プログラマブルロジックデバイス（ＰＬＤ）等によって実行することができる。
【００５１】
ＨＶＡＣシステムを動作させる方法
図２は、開示された実施形態による図１のＨＶＡＣインターフェース１２０の全体動作のフローチャート２００である。開示された実施形態では、サーモスタット１１０は、２ステージ冷房及び２ステージ暖房を用いて動作する。その結果、サーモスタット１１０は、第１ステージ冷房信号、第２ステージ冷房信号、第１ステージ暖房信号、及び第２ステージ暖房信号の少なくとも４つのＯＮ／ＯＦＦ信号を提供する。サーモスタット１１０は、ＨＶＡＣユニット１３０がどのステージで動作するべきであるのかを示すこれらの４つの信号のうちの１つを有効にする（すなわち、オンにする）。サーモスタット１１０は、４つのステージング信号のいずれも有効にしない場合、これは、ＨＶＡＣユニット１３０がオフにされるべきであることを示すものである。
【００５２】
図２に示すように、プロセスが開始した（２１０）後、ＨＶＡＣインターフェース１２０は、サーモスタット１１０から入力信号を受信し、その値を確認する（２２０）。サーモスタットからの入力の値が、ＨＶＡＣユニット１３０がオフにされるべきであることを示している（すなわち、これらのステージング信号のいずれも有効にされていない）場合、ＨＶＡＣインターフェース１３０は何も行わず、サーモスタット１１０から受信される入力信号の値を引き続き確認する（２２０）。
【００５３】
サーモスタット１１０からの第１ステージ冷房信号が有効にされている場合、ＨＶＡＣインターフェース１２０は第１の冷房動作を実行し（２３０）、サーモスタット１１０からの第２ステージ冷房信号が有効にされている場合、ＨＶＡＣインターフェース１２０は第２の冷房動作を実行し（２４０）、サーモスタット１１０からの第１ステージ暖房信号が有効にされている場合、ＨＶＡＣインターフェース１２０は第１の暖房動作を実行し（２５０）、サーモスタット１１０からの第２ステージ暖房信号が有効にされている場合、ＨＶＡＣインターフェース１２０は第２の暖房動作を実行する（２６０）。これらの第１の冷房動作（２３０）、第２の冷房動作（２４０）、第１の暖房動作（２５０）、及び第２の暖房動作（２６０）は、図３〜図６に詳細に記載されている。
【００５４】
第１の冷房動作
図３は、開示された実施形態による図１の第１の冷房動作２３０のフローチャートである。第１の冷房動作２３０は、必要とされる冷房が比較的少ない（例えば、内部と外部との間の温度差動（temperature differential）が大きくない）ときに適切な低電力冷房動作を表す。通常、サーモスタット１１０は、必要とされるが冷房が比較的少量であると判断したとき、第１ステージ冷房信号を有効にする。
【００５５】
図３に示すように、第１の冷房動作２３０は、ＨＶＡＣインターフェース１２０が、ＨＶＡＣユニット１３０に、冷房モードに入って、その現行能力比率を第１の冷房能力比率に設定する（３０５）ように命令することから開始する。この第１の冷房能力比率は、任意の所望の値とすることができるが、通常、０％以上５０％以下の範囲内である。１つの特定の実施形態では、第１の冷房能力比率は４０％に設定される。
【００５６】
ＨＶＡＣユニット１３０を冷房モードに設定し、その現行能力比率を第１の冷房能力比率に設定した（３０５）後、ＨＶＡＣインターフェース１２０は、どの信号がサーモスタット１１０によって有効にされているのかを再び確かめる（３１０）。
【００５７】
サーモスタット１１０からの第２ステージ冷房信号が有効にされている場合、ＨＶＡＣインターフェース１２０は第２の冷房動作を実行し（２４０）、サーモスタット１１０からの第１ステージ暖房信号が有効にされている場合、ＨＶＡＣインターフェース１２０は第１の暖房動作を実行し（２５０）、サーモスタット１１０からの第２ステージ暖房信号が有効にされている場合、ＨＶＡＣインターフェース１２０は第２の暖房動作を実行し（２６０）、サーモスタット１１０がいずれの信号も有効にしていない（すなわち、ＨＶＡＣインターフェース１２０が、ＨＶＡＣユニット１３０がオフにされるべきであることの表示を受信した）場合、ＨＶＡＣインターフェース１２０は温度維持動作を実行する（３６５）。
【００５８】
一方、サーモスタット１１０が第１ステージ冷房信号を有効にし続けている場合、ＨＶＡＣインターフェース１２０は、部屋が冷えていく速度を示す部屋冷房変化速度（ｄＴＣ）の計算に移る（３１５）。部屋冷房変化速度（ｄＴＣ）は、現在の室温（ＨＶＡＣユニット１３０からＨＶＡＣインターフェース１２０に提供される）と、記憶された以前の時点からの複数の室温、例えば、メモリ１５５に記憶された複数の室温とに基づいて求められる。
【００５９】
部屋冷房変化速度（ｄＴＣ）を計算する１つの方法は、ＨＶＡＣインターフェース１２０に、現在の温度値及び記憶された温度値に最も良く適合する直線を求めさせ、次いで、この直線の勾配を求めさせることである。室温変化速度はその勾配である。その場合、暖房動作及び冷房動作を同様のものに維持するために、その後、直線の勾配に−１を乗算して冷房の速度を正の値によって示すようにして、部屋冷房変化速度（ｄＴＣ）が得られる。これは、以下の図９〜図１１に例として見ることができる。
【００６０】
部屋冷房変化速度（ｄＴＣ）が計算されると、ＨＶＡＣインターフェース１２０は、例えば、比較器１５０を用いて、部屋冷房変化速度（ｄＴＣ）を第１の冷房閾値（ＴＣ１）と比較する（３７０）。第１の冷房閾値（ＴＣ１）は、第１の冷房動作の所望の部屋冷房変化速度を示す。第１の冷房閾値は、冷房の所望の速度（冷房が強まる場合に正の値を提供するように−１が乗算される）を表す直線の勾配として視覚化することができる。部屋冷房変化速度（ｄＴＣ）を第１の冷房閾値（ＴＣ１）と比較することによって、ＨＶＡＣインターフェース１２０は、ＨＶＡＣユニットが、エリアを所望のものよりもゆっくりと冷房しているのか、所望のものよりも速く冷房しているのか、又は正確に所望どおりに冷房しているのかを判断することができる。
【００６１】
部屋冷房変化速度（ｄＴＣ）が第１の冷房閾値（ＴＣ１）と等しい（すなわち、ｄＴＣ＝ＴＣ１である）場合、部屋冷房変化速度（ｄＴＣ）は正確に所望の値にある。これは、ＨＶＡＣユニット１３０が正確に所望の能力で動作していることを意味する。この場合には、ＨＶＡＣインターフェース１２０は何も行わないが、どのステージング信号がサーモスタット１１０によって有効にされているのかを再び確認する（３１０）ことに戻る。ＨＶＡＣインターフェース１２０は、幾つかの実施形態では、この確認を或る遅延時間（例えば、０秒〜９０秒）だけ遅延させることができる。
【００６２】
部屋冷房変化速度（ｄＴＣ）が第１の冷房閾値（ＴＣ１）よりも大きい（すなわち、ｄＴＣ＞ＴＣ１である）場合、部屋冷房変化速度（ｄＴＣ）は所望の値よりも高い。これは、ＨＶＡＣユニット１３０が所望のものよりも高い能力で動作しており、エリアを過度に急速に冷房していることを意味する。この場合には、ＨＶＡＣインターフェース１２０は、現行能力比率を第１の冷房増分ずつ最低で０％まで下げ（３７５）、その後、（幾つかの実施形態では、遅延時間後に）どのステージング信号がサーモスタット１１０によって有効にされているのかを再び確認する（３１０）ことに戻る。
【００６３】
現行能力比率を第１の冷房増分ずつ削減する（３７５）ことによって、ＨＶＡＣインターフェース１２０は、ＨＶＡＣユニット１３０にエリアをよりゆっくりと冷房させ、部屋冷房変化速度（ｄＴＣ）をその所望の値に近づける。
【００６４】
部屋冷房変化速度（ｄＴＣ）が第１の冷房閾値（ＴＣ１）よりも小さい（すなわち、ｄＴＣ＜ＴＣ１である）場合、部屋冷房変化速度（ｄＴＣ）は所望の値よりも低い。これは、ＨＶＡＣユニット１３０が、所望のものよりも低い能力で動作しており、エリアを過度にゆっくりと冷房していることを意味する。この場合には、ＨＶＡＣインターフェース１２０は、現行能力比率を第２の冷房増分ずつ最高で１００％まで上げ（３８０）、その後、（幾つかの実施形態では、遅延時間後に）どのステージング信号がサーモスタット１１０によって有効にされているのかを再び確認する（３１０）ことに戻る。
【００６５】
現行能力比率を第２の冷房増分ずつ増加させる（３８０）ことによって、ＨＶＡＣインターフェース１２０は、ＨＶＡＣユニット１３０にエリアをより急速に冷房させ、部屋冷房変化速度（ｄＴＣ）をその所望の値に近づける。
【００６６】
第１の冷房増分及び第２の冷房増分は、第１の冷房能力比率よりも一般に小さく、通常、１％以上２５％以下の範囲にある。１つの開示された実施形態では、第１の冷房増分及び第２の冷房増分は、ともに１０％である。ただし、第１の冷房増分及び第２の冷房増分は同一である必要はない。幾つかの代替の実施形態では、ＨＶＡＣインターフェース１３０は、現行能力比率を１つの方向において他方の方向よりも高速に訂正することができる。
【００６７】
さらに、代替の実施形態では、第１の冷房増分及び第２の冷房増分は一定値である必要はない。例えば、幾つかの代替の実施形態では、第１の冷房増分及び第２の冷房増分は、部屋冷房変化速度（ｄＴＣ）及び第１の冷房閾値（ＴＣ１）の関数とすることができる。他の関数も同様に可能である。
【００６８】
現行能力比率に対するこれらの調整を第１の冷房動作中に行うことによって、粒度を有しない単一のＯＮ／ＯＦＦの第１ステージ冷房信号のみが有効にされているにもかかわらず、ＨＶＡＣインターフェース１２０は、エリア内の所望の温度をより良好かつより効率的に維持することができる。
【００６９】
第２の冷房動作
図４は、開示された実施形態による図１の第２の冷房動作のフローチャートである。第２の冷房動作２４０は、必要とされる冷房が多量である（例えば、内部と外部との間の温度差動が非常に大きい）ときに適切な高電力冷房動作を表す。通常、サーモスタット１１０は、必要とされるが冷房が比較的多量であると判断したとき、第２ステージ冷房信号を有効にする。
【００７０】
図４に示すように、第２の冷房動作２４０は、ＨＶＡＣインターフェース１２０が、ＨＶＡＣユニット１３０に、冷房モードに入って、その現行能力比率を第２の冷房能力比率に設定する（４０５）ように命令することから開始する。この第２の冷房能力比率は、任意の所望の値とすることができるが、第１の冷房能力比率より高く、通常、５０％以上１００％以下の範囲内である。１つの特定の実施形態では、第１の冷房能力比率は７０％に設定される。
【００７１】
ＨＶＡＣユニット１３０を冷房モードに設定し、その現行能力比率を第２の冷房能力比率に設定した（４０５）後、ＨＶＡＣインターフェース１２０は、どの入力信号がサーモスタット１１０によって有効にされているのかを再び確かめる（４１０）。
【００７２】
サーモスタット１１０からの第１ステージ冷房信号が有効にされている場合、ＨＶＡＣインターフェース１２０は第１の冷房動作を実行し（２３０）、サーモスタット１１０からの第１ステージ暖房信号が有効にされている場合、ＨＶＡＣインターフェース１２０は第１の暖房動作を実行し（２５０）、サーモスタット１１０からの第２ステージ暖房信号が有効にされている場合、ＨＶＡＣインターフェース１２０は第２の暖房動作を実行し（２６０）、サーモスタット１１０がいずれの信号も有効にしていない（すなわち、ＨＶＡＣインターフェース１２０が、ＨＶＡＣユニット１３０がオフにされるべきであることの表示を受信した）場合、ＨＶＡＣインターフェース１２０はＨＶＡＣユニット２３０をオフにする（４６５）。
【００７３】
一方、サーモスタット１１０が第２ステージ冷房信号を有効にし続けている場合、ＨＶＡＣインターフェース１２０は、部屋が冷えていく速度を示す部屋冷房変化速度（ｄＴＣ）の計算に移る（４１５）。部屋冷房変化速度（ｄＴＣ）は、現在の室温（ＨＶＡＣユニット１３０からＨＶＡＣインターフェース１２０に提供される）と、記憶された以前の時点からの複数の室温、例えば、メモリ１５５に記憶された複数の室温とに基づいて求められる。
【００７４】
上述したように、部屋冷房変化速度（ｄＴＣ）を計算する１つの方法は、ＨＶＡＣインターフェース１２０に、現在の温度値及び記憶された温度値に最も良く適合する直線を求めさせ、次いで、この直線の勾配を求めさせることである。この直線の勾配が室温変化速度（ｄＴ）である。その場合、暖房動作及び冷房動作を同様のものに維持するために、その後、直線の勾配に−１を乗算して冷房の速度を正の値によって示すようにして、部屋冷房変化速度（ｄＴＣ）が得られる。これは、以下の図９〜図１１に例として見ることができる。
【００７５】
部屋冷房変化速度（ｄＴＣ）が計算されると、ＨＶＡＣインターフェース１２０は、例えば、比較器１５０を用いて、部屋冷房変化速度（ｄＴＣ）を第２の冷房閾値（ＴＣ２）と比較する（４７０）。第２の冷房閾値（ＴＣ２）は、第２の冷房動作の所望の部屋冷房変化速度を示す。第２の冷房閾値は、冷房の所望の速度（冷房が強まる場合に正の値を提供するように−１が乗算される）を表す直線の勾配として視覚化することができる。部屋冷房変化速度（ｄＴＣ）を第２の冷房閾値（ＴＣ２）と比較することによって、ＨＶＡＣインターフェース１２０は、ＨＶＡＣユニットが、エリアを所望のものよりもゆっくりと冷房しているのか、所望のものよりも速く冷房しているのか、又は正確に所望どおりに冷房しているのかを判断することができる。
【００７６】
部屋冷房変化速度（ｄＴＣ）が第２の冷房閾値（ＴＣ２）と等しい（すなわち、ｄＴＣ＝ＴＣ２である）場合、部屋冷房変化速度（ｄＴＣ）は正確に所望の値にある。これは、ＨＶＡＣユニット１３０が正確に所望の能力で動作していることを意味する。この場合には、ＨＶＡＣインターフェース１２０は何も行わないが、どのステージング信号がサーモスタット１１０によって有効にされているのかを再び確認する（４１０）ことに戻る。ＨＶＡＣインターフェース１２０は、幾つかの実施形態では、この確認を或る遅延時間（例えば、０秒〜９０秒）だけ遅延させることができる。
【００７７】
部屋冷房変化速度（ｄＴＣ）が第２の冷房閾値（ＴＣ２）よりも大きい（すなわち、ｄＴＣ＞ＴＣ２である）場合、部屋冷房変化速度（ｄＴＣ）は所望の値よりも高い。これは、ＨＶＡＣユニット１３０が所望のものよりも高い能力で動作しており、エリアを過度に急速に冷房していることを意味する。この場合には、ＨＶＡＣインターフェース１２０は、現行能力比率を第３の冷房増分ずつ最低で０％まで下げ（４７５）、その後、（幾つかの実施形態では、遅延時間後に）どのステージング信号がサーモスタット１１０によって有効にされているのかを再び確認する（４１０）ことに戻る。
【００７８】
現行能力比率を第３の冷房増分ずつ削減する（４７５）ことによって、ＨＶＡＣインターフェース１２０は、ＨＶＡＣユニット１３０にエリアをよりゆっくりと冷房させ、部屋冷房変化速度（ｄＴＣ）をその所望の値に近づける。
【００７９】
部屋冷房変化速度（ｄＴＣ）が第２の冷房閾値（ＴＣ２）よりも小さい（すなわち、ｄＴＣ＜ＴＣ２である）場合、部屋冷房変化速度（ｄＴＣ）は所望の値よりも低い。これは、ＨＶＡＣユニット１３０が、所望のものよりも低い能力で動作しており、エリアを過度にゆっくりと冷房していることを意味する。この場合には、ＨＶＡＣインターフェース１２０は、現行能力比率を第４の冷房増分ずつ最高で１００％まで上げ（４８０）、その後、（幾つかの実施形態では、遅延時間後に）どのステージング信号がサーモスタット１１０によって有効にされているのかを再び確認する（４１０）ことに戻る。
【００８０】
現行能力比率を第４の冷房増分ずつ増加させる（４８０）ことによって、ＨＶＡＣインターフェース１２０は、ＨＶＡＣユニット１３０にエリアをより急速に冷房させ、部屋冷房変化速度（ｄＴＣ）をその所望の値に近づける。
【００８１】
第３の冷房増分及び第４の冷房増分は、第２の冷房能力比率よりも一般に小さく、通常、１％以上２５％以下の範囲にある。１つの開示された実施形態では、第３の冷房増分及び第４の冷房増分は、ともに１０％である。ただし、第３の冷房増分及び第４の冷房増分は同一である必要はない。幾つかの代替の実施形態では、ＨＶＡＣインターフェース１３０は、現行能力比率を１つの方向において他方の方向よりも高速に訂正することができる。
【００８２】
さらに、代替の実施形態では、第３の冷房増分及び第４の冷房増分は一定値である必要はない。例えば、幾つかの代替の実施形態では、第３の冷房増分及び第４の冷房増分は、部屋冷房変化速度（ｄＴＣ）及び第２の冷房閾値（ＴＣ２）の関数とすることができる。他の関数も同様に可能である。
【００８３】
現行能力比率に対するこれらの調整を第２の冷房動作中に行うことによって、粒度を有しない単一のＯＮ／ＯＦＦの第２ステージ冷房信号のみが有効にされているにもかかわらず、ＨＶＡＣインターフェース１２０は、エリア内の所望の温度をより良好かつより効率的に維持することができる。
【００８４】
第１の暖房動作
図５は、開示された実施形態による図１の第１の暖房動作２５０のフローチャートである。第１の暖房動作２５０は、必要とされる暖房が比較的少ない（例えば、内部と外部との間の温度差動があまり大きくない）ときに適切な低電力暖房動作を表す。通常、サーモスタット１１０は、必要とされるが暖房が比較的少量であると判断したとき、第１ステージ暖房信号を有効にする。
【００８５】
図５に示すように、第１の暖房動作２５０は、ＨＶＡＣインターフェース１２０が、ＨＶＡＣユニット１３０に、暖房モードに入って、その現行能力比率を第１の暖房能力比率に設定する（５０５）ように命令することから開始する。この第１の暖房能力比率は、任意の所望の値とすることができるが、通常、０％以上５０％以下の範囲内である。１つの特定の実施形態では、第１の暖房能力比率は４０％に設定される。
【００８６】
ＨＶＡＣユニット１３０を暖房モードに設定し、その現行能力比率を第１の暖房能力比率に設定した（５０５）後、ＨＶＡＣインターフェース１２０は、どの入力信号がサーモスタット１１０によって有効にされているのかを再び確かめる（５１０）。
【００８７】
サーモスタット１１０からの第２ステージ暖房信号が有効にされている場合、ＨＶＡＣインターフェース１２０は第２の暖房動作を実行し（２６０）、サーモスタット１１０からの第１ステージ冷房信号が有効にされている場合、ＨＶＡＣインターフェース１２０は第１の冷房動作を実行し（２３０）、サーモスタット１１０からの第２ステージ冷房信号が有効にされている場合、ＨＶＡＣインターフェース１２０は第２の冷房動作を実行し（２４０）、サーモスタット１１０がいずれの信号も有効にしていない（すなわち、ＨＶＡＣインターフェース１２０が、ＨＶＡＣユニット１３０がオフにされるべきであることの表示を受信した）場合、ＨＶＡＣインターフェース１２０は温度維持動作を実行する（３６５）。
【００８８】
一方、サーモスタット１１０が第１ステージ暖房信号を有効にし続けている場合、ＨＶＡＣインターフェース１２０は、部屋が暖まっていく速度を示す部屋暖房変化速度（ｄＴＨ）の計算に移る（５１５）。部屋暖房変化速度（ｄＴＨ）は、現在の室温（ＨＶＡＣユニット１３０からＨＶＡＣインターフェース１２０に提供される）と、記憶された以前の時点からの複数の室温、例えば、メモリ１５５に記憶された複数の室温とに基づいて求められる。
【００８９】
部屋暖房変化速度（ｄＴＨ）を計算する１つの方法は、ＨＶＡＣインターフェース１２０に、現在の温度値及び記憶された温度値に最も良く適合する直線を求めさせ、次いで、部屋暖房変化速度（ｄＴＨ）をこの直線の勾配として求めさせることである。これは、以下の図１２〜図１４に例として見ることができる。
【００９０】
部屋暖房変化速度（ｄＴＨ）が計算されると、ＨＶＡＣインターフェース１２０は、例えば、比較器１５０を用いて、部屋暖房変化速度（ｄＴＨ）を第１の暖房閾値（ＴＨ１）と比較する（５７０）。第１の暖房閾値（ＴＨ１）は、第１の暖房動作２５０の所望の部屋暖房変化速度を示す。第１の暖房閾値は、暖房の所望の速度を表す直線の勾配として視覚化することができる。部屋暖房変化速度（ｄＴＨ）を第１の暖房閾値（ＴＨ１）と比較することによって、ＨＶＡＣインターフェース１２０は、ＨＶＡＣユニットが、エリアを所望のものよりもゆっくりと暖房しているのか、所望のものよりも速く暖房しているのか、又は正確に所望どおりに暖房しているのかを判断することができる。
【００９１】
部屋暖房変化速度（ｄＴＨ）が第１の暖房閾値（ＴＨ１）と等しい（すなわち、ｄＴＨ＝ＴＨ１である）場合、部屋暖房変化速度（ｄＴＨ）は正確に所望の値にある。これは、ＨＶＡＣユニット１３０が正確に所望の能力で動作していることを意味する。この場合には、ＨＶＡＣインターフェース１２０は何も行わないが、どのステージング信号がサーモスタット１１０によって有効にされているのかを再び確認する（５１０）ことに戻る。ＨＶＡＣインターフェース１２０は、幾つかの実施形態では、この確認を或る遅延時間（例えば、０秒〜９０秒）だけ遅延させることができる。
【００９２】
部屋暖房変化速度（ｄＴＨ）が第１の暖房閾値（ＴＨ１）よりも大きい（すなわち、ｄＴＨ＞ＴＨ１である）場合、部屋暖房変化速度（ｄＴＨ）は所望の値よりも高い。これは、ＨＶＡＣユニット１３０が所望のものよりも高い能力で動作しており、エリアを過度に急速に暖房していることを意味する。この場合には、ＨＶＡＣインターフェース１２０は、現行能力比率を第１の暖房増分ずつ最低で０％まで下げ（５７５）、その後、（幾つかの実施形態では、遅延時間後に）どのステージング信号がサーモスタット１１０によって有効にされているのかを再び確認する（５１０）ことに戻る。
【００９３】
現行能力比率を第１の暖房増分ずつ削減する（５７５）ことによって、ＨＶＡＣインターフェース１２０は、ＨＶＡＣユニット１３０にエリアをよりゆっくりと暖房させ、部屋暖房変化速度（ｄＴＨ）をその所望の値に近づける。
【００９４】
部屋暖房変化速度（ｄＴＨ）が第１の暖房閾値（ＴＨ１）よりも小さい（すなわち、ｄＴＨ＜ＴＨ１である）場合、部屋暖房変化速度（ｄＴＨ）は所望の値よりも低い。これは、ＨＶＡＣユニット１３０が、所望のものよりも低い能力で動作しており、エリアを過度にゆっくりと暖房していることを意味する。この場合には、ＨＶＡＣインターフェース１２０は、現行能力比率を第２の暖房増分ずつ最高で１００％まで上げ（５８０）、その後、（幾つかの実施形態では、遅延時間後に）どのステージング信号がサーモスタット１１０によって有効にされているのかを再び確認する（５１０）ことに戻る。
【００９５】
現行能力比率を第２の暖房増分ずつ増加させる（５８０）ことによって、ＨＶＡＣインターフェース１２０は、ＨＶＡＣユニット１３０にエリアをより急速に暖房させ、部屋暖房変化速度（ｄＴＨ）をその所望の値に近づける。
【００９６】
第１の暖房増分及び第２の暖房増分は、第１の暖房能力比率よりも一般に小さく、通常、１％以上２５％以下の範囲にある。１つの開示された実施形態では、第１の暖房増分及び第２の暖房増分は、ともに１０％である。ただし、第１の暖房増分及び第２の暖房増分は同一である必要はない。幾つかの実施形態では、ＨＶＡＣインターフェース１３０は、現行能力比率を１つの方向において他方の方向よりも高速に訂正することができる。
【００９７】
さらに、代替の実施形態では、第１の暖房増分及び第２の暖房増分は一定値である必要はない。例えば、幾つかの代替の実施形態では、第１の暖房増分及び第２の暖房増分は、部屋暖房変化速度（ｄＴＨ）及び第１の暖房閾値（ＴＨ１）の関数とすることができる。他の関数も同様に可能である。
【００９８】
現行能力比率に対するこれらの調整を第１の暖房動作２５０中に行うことによって、粒度を有しない単一のＯＮ／ＯＦＦの第１ステージ暖房信号のみが有効にされているにもかかわらず、ＨＶＡＣインターフェース１２０は、エリア内の所望の温度をより良好かつより効率的に維持することができる。
【００９９】
第２の暖房動作
図６は、開示された実施形態による図１の第２の暖房動作２６０のフローチャートである。第２の暖房動作２６０は、必要とされる暖房が多量である（例えば、内部と外部との間の温度差動が非常に大きい）ときに適切な高電力暖房動作を表す。通常、サーモスタット１１０は、必要とされるが暖房が比較的多量であると判断したとき、第２ステージ暖房信号を有効にする。
【０１００】
図６に示すように、第２の暖房動作２６０は、ＨＶＡＣインターフェース１２０が、ＨＶＡＣユニット１３０に、暖房モードに入って、その現行能力比率を第２の暖房能力比率に設定する（６０５）ように命令することから開始する。この第２の暖房能力比率は、任意の所望の値とすることができるが、第１の暖房能力比率より高く、通常、５０％以上１００％以下の範囲内である。１つの特定の実施形態では、第１の暖房能力比率は７０％に設定される。
【０１０１】
ＨＶＡＣユニット１３０を暖房モードに設定し、その現行能力比率を第２の暖房能力比率に設定した（６０５）後、ＨＶＡＣインターフェース１２０は、どの入力信号をサーモスタット１１０から受信しているのかを再び確かめる（６１０）。
【０１０２】
サーモスタット１１０からの第１ステージ暖房信号が有効にされている場合、ＨＶＡＣインターフェース１２０は第１の暖房動作を実行し（２５０）、サーモスタット１１０からの第１ステージ冷房信号が有効にされている場合、ＨＶＡＣインターフェース１２０は第１の冷房動作を実行し（２３０）、サーモスタット１１０からの第２ステージ冷房信号が有効にされている場合、ＨＶＡＣインターフェース１２０は第２の冷房動作を実行し（２４０）、サーモスタット１１０がいずれの信号も有効にしていない（すなわち、ＨＶＡＣインターフェース１２０が、ＨＶＡＣユニット１３０がオフにされるべきであることの表示を受信した）場合、ＨＶＡＣインターフェース１２０はＨＶＡＣユニット２３０をオフにする（４６５）。
【０１０３】
一方、サーモスタット１１０が第２ステージ暖房信号を有効にし続けている場合、ＨＶＡＣインターフェース１２０は、部屋が暖まっていく速度を示す部屋暖房変化速度（ｄＴＨ）の計算に移る（６１５）。部屋暖房変化速度（ｄＴＨ）は、現在の室温（ＨＶＡＣユニット１３０からＨＶＡＣインターフェース１２０に提供される）と、記憶された以前の時点からの複数の室温、例えば、メモリ１５５に記憶された複数の室温とに基づいて求められる。
【０１０４】
上述したように、部屋暖房変化速度（ｄＴＨ）を計算する１つの方法は、ＨＶＡＣインターフェース１２０に、現在の温度値及び記憶された温度値に最も良く適合する直線を求めさせ、次いで、部屋暖房変化速度（ｄＴＨ）をこの直線の勾配として求めさせることである。これは、以下の図１２〜図１４に例として見ることができる。
【０１０５】
部屋暖房変化速度（ｄＴＨ）が計算されると、ＨＶＡＣインターフェース１２０は、例えば、比較器１５０を用いて、部屋暖房変化速度（ｄＴＨ）を第２の暖房閾値（ＴＨ２）と比較する（６７０）。第２の暖房閾値（ＴＨ２）は、第２の暖房動作の所望の部屋暖房変化速度を示す。第２の暖房閾値（ＴＨ２）は、暖房の所望の速度を表す直線の勾配として視覚化することができる。部屋暖房変化速度（ｄＴＨ）を第２の暖房閾値（ＴＨ２）と比較することによって、ＨＶＡＣインターフェース１２０は、ＨＶＡＣユニットが、エリアを所望のものよりもゆっくりと暖房しているのか、所望のものよりも速く暖房しているのか、又は正確に所望どおりに暖房しているのかを判断することができる。
【０１０６】
部屋暖房変化速度（ｄＴＨ）が第２の暖房閾値（ＴＨ２）と等しい（すなわち、ｄＴＨ＝ＴＨ２である）場合、部屋暖房変化速度（ｄＴＨ）は正確に所望の値にある。これは、ＨＶＡＣユニット１３０が正確に所望の能力で動作していることを意味する。この場合には、ＨＶＡＣインターフェース１２０は何も行わないが、どのステージング信号がサーモスタット１１０によって有効にされているのかを再び確認する（６１０）ことに戻る。ＨＶＡＣインターフェース１２０は、幾つかの実施形態では、この確認を或る遅延時間（例えば、０秒〜９０秒）だけ遅延させることができる。
【０１０７】
部屋暖房変化速度（ｄＴＨ）が第２の暖房閾値（ＴＨ２）よりも大きい（すなわち、ｄＴＨ＞ＴＨ２である）場合、部屋暖房変化速度（ｄＴＨ）は所望の値よりも高い。これは、ＨＶＡＣユニット１３０が所望のものよりも高い能力で動作しており、エリアを過度に急速に暖房していることを意味する。この場合には、ＨＶＡＣインターフェース１２０は、現行能力比率を第３の暖房増分ずつ最低で０％まで下げ（６７５）、その後、（幾つかの実施形態では、遅延時間後に）どのステージング信号がサーモスタット１１０によって有効にされているのかを再び確認する（６１０）ことに戻る。
【０１０８】
現行能力比率を第３の暖房増分ずつ削減する（６７５）ことによって、ＨＶＡＣインターフェース１２０は、ＨＶＡＣユニット１３０にエリアをよりゆっくりと暖房させ、部屋暖房変化速度（ｄＴＨ）をその所望の値に近づける。
【０１０９】
部屋暖房変化速度（ｄＴＨ）が第２の暖房閾値（ＴＨ２）よりも小さい（すなわち、ｄＴＨ＜ＴＨ２である）場合、部屋暖房変化速度（ｄＴＨ）は所望の値よりも低い。これは、ＨＶＡＣユニット１３０が、所望のものよりも低い能力で動作しており、エリアを過度にゆっくりと暖房していることを意味する。この場合には、ＨＶＡＣインターフェース１２０は、現行能力比率を第４の暖房増分ずつ最高で１００％まで上げ（６８０）、その後、（幾つかの実施形態では、遅延時間後に）どのステージング信号がサーモスタット１１０によって有効にされているのかを再び確認する（６１０）ことに戻る。
【０１１０】
現行能力比率を第４の暖房増分ずつ増加させる（６８０）ことによって、ＨＶＡＣインターフェース１２０は、ＨＶＡＣユニット１３０にエリアをより急速に暖房させ、部屋暖房変化速度（ｄＴＨ）をその所望の値に近づける。
【０１１１】
第３の暖房増分及び第４の暖房増分は、第２の暖房能力比率よりも一般に小さく、通常、１％以上２５％以下の範囲にある。１つの開示された実施形態では、第３の暖房増分及び第４の暖房増分は、ともに１０％である。ただし、第３の暖房増分及び第４の暖房増分は同一である必要はない。幾つかの実施形態では、ＨＶＡＣインターフェース１３０は、現行能力比率を１つの方向において他方の方向よりも高速に訂正することができる。
【０１１２】
さらに、代替の実施形態では、第３の暖房増分及び第４の暖房増分は一定値である必要はない。例えば、幾つかの代替の実施形態では、第３の暖房増分及び第４の暖房増分は、部屋暖房変化速度（ｄＴＨ）及び第２の暖房閾値（ＴＨ２）の関数とすることができる。他の関数も同様に可能である。
【０１１３】
現行能力比率に対するこれらの調整を第２の暖房動作中に行うことによって、粒度を有しない単一のＯＮ／ＯＦＦの第２ステージ暖房信号のみが有効にされているにもかかわらず、ＨＶＡＣインターフェース１２０は、エリア内の所望の温度をより良好かつより効率的に維持することができる。
【０１１４】
温度維持動作
ＨＶＡＣインターフェース１２０が第１の冷房動作２３０又は第１の暖房動作２５０を実行しており、サーモスタット１１０がいずれのステージング信号も有効にすることを停止した（すなわち、サーモスタット１１０が、ＨＶＡＣユニット１３０がオフにされるべきであることを示している）とき、ＨＶＡＣインターフェース１２０は、ＨＶＡＣユニット１３０を直ちにオフにしない。逆に、ＨＶＡＣインターフェース１２０は、温度維持動作３６５を代わりに実行する。この温度維持動作は、ＨＶＡＣユニット１３０の動作を短期間の間維持する。
【０１１５】
図７は、開示された実施形態による図１の温度維持動作３６５のフローチャートである。図７に示すように、温度維持動作３６５は、ＨＶＡＣインターフェース１２０が、ＨＶＡＣユニット１３０に、現在の室温を設定点として設定し、その現在のモード（すなわち、暖房モード又は冷房モードのいずれか）を維持する（７０５）ように命令することから開始する。この設定点は、ＨＶＡＣユニット１３０が維持するべき温度である。この動作は、ＨＶＡＣユニット１３０が、温度を維持するように命令されたときにこれを行うことができるほど十分高性能であることを前提としている。
【０１１６】
現在の室温を設定点として設定した（７０５）後、ＨＶＡＣインターフェース１２０は、ステージング信号がある場合に、どのステージング信号がサーモスタット１１０によって有効にされているのかを再び確かめる（７１０）。
【０１１７】
サーモスタット１１０からの第１ステージ冷房信号が有効にされている場合、ＨＶＡＣインターフェース１２０は第１の冷房動作を実行し（２３０）、サーモスタット１１０からの第２ステージ冷房信号が有効にされている場合、ＨＶＡＣインターフェース１２０は第２の冷房動作を実行し（２４０）、サーモスタット１１０からの第１ステージ暖房信号が有効にされている場合、ＨＶＡＣインターフェース１２０は第１の暖房動作を実行し（２５０）、サーモスタット１１０からの第２ステージ暖房信号が有効にされている場合、ＨＶＡＣインターフェース１２０は第２の暖房動作を実行する（２６０）。
【０１１８】
一方、サーモスタット１１０がステージング信号を有効にしていない（すなわち、サーモスタット１１０が、ＨＶＡＣインターフェース１２０に、ＨＶＡＣユニット１３０をオフにするように命令し続けている）場合、ＨＶＡＣインターフェース１２０は、第１のタイムアウト期間の間、サーモスタット１１０から受信された入力を繰り返し確認して、いずれかのステージング信号が有効にされているか否かを調べながら待機する（７１５）。第１のタイムアウト期間中のいずれかの時点において、ステージング信号が有効にされた場合、ＨＶＡＣインターフェース１２０は、そのステージング信号に基づいて、適切な冷房動作２３０、２４０又は暖房動作２５０、２６０を実行するように動作する。
【０１１９】
一方、ステージング信号が有効にされることなく、ＨＶＡＣインターフェース１２０が第１のタイムアウト期間の終了に達した場合、ＨＶＡＣインターフェース１２０は、設定点探索動作を実行する（７２０）。
【０１２０】
この第１のタイムアウト期間は、ＨＶＡＣシステム１００の所望の動作レベルを維持する任意の継続期間に設定することができる。幾つかの実施形態では、第１のタイムアウト期間は、０分〜３０分となるように設定される。１つの特定の実施形態では、第１のタイムアウト期間は、０分、５分、１５分、及び３０分のうちの１つに設定することができる。様々な実施形態では、第１のタイムアウト期間は、製造業者が設定することもできるし、ユーザーが選ぶこともできる。
【０１２１】
温度維持動作は、ＨＶＡＣシステム１００が、新たなステージング信号が有効にされているか否かを調べるために待機している間、そのままの状態を維持することを可能にする。このため、ＨＶＡＣインターフェース１２０は、ＨＶＡＣユニット１３０に、サーモスタット１１０からオフインジケーターを受信すると直ちにオフになるように命令するのではなく、短期間の間、現在の温度を維持するようにＨＶＡＣユニット１３０を動作させ続ける。サーモスタット１１０がこの時間の間にステージング信号を有効にした場合、ＨＶＡＣユニット１３０は、オフ位置から再び始動する必要なく動作を再開することができる。その上、サーモスタット１１０が第１のタイムアウト期間中にステージング信号を有効にした場合に、そのステージング信号は、以前に提供されたものと同様のステージング信号である可能性がある。設定点温度を維持することによって、ＨＶＡＣユニット１３０は、冷房／暖房エリアを所望の温度に維持していた可能性が最も高い。
【０１２２】
一方、ユーザーが、ＨＶＡＣシステム１００をオフにしようとすることがないように、ＨＶＡＣインターフェース１２０は、ＨＶＡＣユニット１３０を永久に動作させ続けることはない。更なるステージング信号が有効にされることなく第１のタイムアウト期間が終了すると、ＨＶＡＣインターフェース１２０は、設定点探索動作７２０の実行に移る。
【０１２３】
設定点探索動作
ＨＶＡＣインターフェース１２０が、第１のタイムアウト期間の間、ステージング信号が有効にされることなく待機すると、サーモスタット１１０からのこのオフ表示が、ＨＶＡＣユニット１３０をオフにするべきであることを意味する可能性はますます高くなる。しかしながら、ＨＶＡＣインターフェース１２０は、これを判断する１つの追加のステージを提供し、このステージの間、ＨＶＡＣユニット１３０は、最小動作状態に設定される。
【０１２４】
図８は、開示された実施形態による図７の設定点探索動作７２０のフローチャートである。図８に示すように、設定点探索動作７２０は、ＨＶＡＣインターフェース１２０が、ＨＶＡＣユニット１３０に、現行能力比率を最小能力比率に設定し、その現在のモード（すなわち、暖房モード又は冷房モードのいずれか）を維持する（８１０）ように命令することから開始する。最小能力比率は、第１の能力比率よりも低い能力比率であるが、ＨＶＡＣユニット１３０をその現在のモードで動作させ続ける。
【０１２５】
現行能力比率を最小能力比率に設定した（８１０）後、ＨＶＡＣインターフェース１２０は、ステージング信号がある場合に、どのステージング信号がサーモスタット１１０によって有効にされているのかを再び確かめる（８２０）。
【０１２６】
サーモスタット１１０からの第１ステージ冷房信号が有効にされている場合、ＨＶＡＣインターフェース１２０は第１の冷房動作を実行し（２３０）、サーモスタット１１０からの第２ステージ冷房信号が有効にされている場合、ＨＶＡＣインターフェース１２０は第２の冷房動作を実行し（２４０）、サーモスタット１１０からの第１ステージ暖房信号が有効にされている場合、ＨＶＡＣインターフェース１２０は第１の暖房動作を実行し（２５０）、サーモスタット１１０からの第２ステージ暖房信号が有効にされている場合、ＨＶＡＣインターフェース１２０は第２の暖房動作を実行する（２６０）。
【０１２７】
一方、ステージング信号が有効にされていない（すなわち、サーモスタット１１０が、ＨＶＡＣインターフェース１２０に、ＨＶＡＣユニット１３０をオフにするように命令し続けている）場合、ＨＶＡＣインターフェース１２０は、第２のタイムアウト期間の間、サーモスタット１１０から受信された入力を繰り返し確認して、いずれかのステージング信号が有効にされているか否かを調べながら待機する（８３０）。第２のタイムアウト期間中のいずれかの時点において、ステージング信号が有効にされた場合、ＨＶＡＣインターフェース１２０は、そのステージング信号に基づいて、適切な冷房動作２３０、２４０又は暖房動作２５０、２６０を実行するように動作する。
【０１２８】
一方、ステージング信号が有効にされることなく、ＨＶＡＣインターフェース１２０が第２のタイムアウト期間の終了に達した場合、ＨＶＡＣインターフェース１２０は、ＨＶＡＣユニットを最終的にオフにする（４６５）。
【０１２９】
この第２のタイムアウト期間は、ＨＶＡＣシステム１００の所望の動作レベルを維持する任意の継続期間に設定することができ、この継続期間は、第１のタイムアウト期間と異なってもよい。幾つかの実施形態では、第１のタイムアウト期間は、０分〜３０分となるように設定される。１つの特定の実施形態では、第１のタイムアウト期間は、０分、５分、１５分、及び３０分のうちの１つに設定することができる。様々な実施形態では、第１のタイムアウト期間は、製造業者が設定することもできるし、ユーザーが選ぶこともできる。
【０１３０】
設定点探索動作は、ＨＶＡＣシステム１００が、新たなステージング信号が有効にされているか否かを調べるために待機している間、ＨＶＡＣユニット１３０を最小動作モードに維持することを可能にする。このため、ＨＶＡＣインターフェース１２０は、ＨＶＡＣユニット１３０にオフになるように単に命令するのではなく、短期間の間、ＨＶＡＣユニット１３０を非常に低い能力比率で動作させ続けて、多少の暖房又は冷房を維持する。サーモスタット１１０が、この時間の間にステージング信号を提供した場合、ＨＶＡＣユニット１３０は、ＨＶＡＣユニット１３０をオフ位置から再び始動させる必要なく動作を再開することができる。
【０１３１】
一方、温度維持動作と同様に、ユーザーが、ＨＶＡＣシステム１００をオフにしようとすることがないように、ＨＶＡＣインターフェース１２０は、ＨＶＡＣユニット１３０をこの最小能力比率モードで永久に動作させ続けることはない。更なるステージング信号が一切有効にされることなく第２のタイムアウト期間が終了すると、ＨＶＡＣインターフェース１２０は、ＨＶＡＣユニット１３０をオフにする。この時点では、サーモスタット１１０から受信されたオフインジケーターが、ＨＶＡＣユニット１３０を最終的にオフにするユーザー命令に基づいて可能性があるものと仮定される。
【０１３２】
ＨＶＡＣユニット１３０をオフにする代わりに温度維持動作３６５及び設定点探索動作７２０を実行する１つの理由は、第１の冷房動作２３０又は第１の暖房動作２５０の間、必要とされる冷房／暖房の量を非常に少なくすることができるということである。これは、冷房／暖房されているエリアの温度が冷房モード又は暖房モード中の短い時間期間の間に達成される場合があり、暖房又は冷房を要請するステージング信号を有効にすることをサーモスタット１１０に停止させることを意味する。しかしながら、ＨＶＡＣユニット１３０が動作していなければ、エリアの温度は、その所望の温度からドリフトして、ＨＶＡＣユニット１３０を再びオンにすることが必要とされる場合がある。これによって、ＨＶＡＣユニット１３０は、繰り返しオン及びオフにされる可能性があり、これは望ましくない。
【０１３３】
それでも、サーモスタット１１０からのこのオフインジケーターは、ユーザーによるＨＶＡＣユニット１３０をオフにしたいという純粋な要望を表している可能性がある。ユーザーがＨＶＡＣユニット１３０にオフになるように命令することができることを維持しつつ、ＨＶＡＣユニット１３０が望まれずにシャットオフされる可能性を少なくするために、ＨＶＡＣインターフェース１２０は、サーモスタット１１０からのオフインジケーターに応答してＨＶＡＣユニット１３０をシャットダウンする前に、温度維持動作３６５及び設定点探索動作７２０を実行する。
【０１３４】
ＨＶＡＣユニット１３０が、温度維持動作３６５に移るのではなく、第２の冷房動作又は第２の暖房動作においてオフにされる（４６５）理由は、これらの２つの動作中に受信されたオフインジケーターが、確かに、延長期間の間にＨＶＡＣユニット１３０をオフにする命令である可能性があるということである。暖房又は冷房の必要性が単に低減される場合、それが大幅に低減される場合であっても、サーモスタット１１０は、オフインジケーターではなく、第１ステージ冷房信号又は第２ステージ冷房信号を有効にする可能性の方が高い。
【０１３５】
グラフ説明図
図９は、開示された実施形態による、ＨＶＡＣユニット１３０の現行能力比率が削減されるべき第１の冷房動作２３０又は第２の冷房動作２４０の態様を示すグラフである。図９に示すように、グラフ９００は、室温対時間のグラフであり、所望の速度の温度変化を示す直線９１０を含む。この直線９１０の勾配は、所望の室温変化速度（ｄＴ）を表す。所望の室温変化速度に−１を乗算したものは、所望の部屋冷房変化速度（所望のｄＴＣ）を示す。この所望の部屋冷房変化速度（所望のｄＴＣ）は、グラフ９００が第１の冷房動作２３０を表しているのか又は第２の冷房動作２４０を表しているのかに応じて、第１の冷房閾値又は第２の冷房閾値（ＴＣ１又はＴＣ２）として用いることができる。
【０１３６】
グラフ９００は、以前の複数の温度測定値９２０及び現在の温度測定値９３０も含む。これらの温度測定値９２０、９３０に基づいて、最も良く適合する直線９４０を求めることができる。この直線９４０は、冷房されているエリアにおける温度変化の実際の速度を表す。この直線９４０の勾配は、実際の室温変化速度（ｄＴ）を表す。この実際の室温変化速度に−１を乗算したものは、実際の部屋冷房変化速度（ｄＴＣ）を示す。
【０１３７】
開示された実施形態では、１つの現在の温度測定値９３０及び３つの以前の温度測定値９２０が提供されている。これは単なる例示にすぎない。代替の実施形態は、これよりも多くの又は少ない以前の温度測定値９２０を用いることができる。
【０１３８】
図９に見て取ることができるように、実際の室温変化速度直線９４０の勾配の大きさは、所望の温度変化速度直線９１０の勾配の大きさよりも大きい。これは、計算された部屋冷房変化速度（ｄＴＣ）が第１の冷房閾値又は第２の冷房閾値（ＴＣ１又はＴＣ２）よりも大きいことに対応する。図３及び図４に示すように、これが起こっているとき、現行能力比率は、対応する冷房増分ずつ最低で０％まで下げられる。
【０１３９】
換言すれば、実際の部屋冷房変化速度が所望の冷房変化速度よりも大きいとき、ＨＶＡＣインターフェース１２０は、ＨＶＡＣユニット１３０の現行能力比率を下げ、ＨＶＡＣユニット１３０がエリアに提供する冷房の量をＨＶＡＣユニット１３０に削減させる。これは、ひいては、実際の部屋冷房変化速度を小さくすることになり、実際の部屋冷房変化速度が、所望の部屋冷房変化速度に接近することになる。
【０１４０】
図１０は、開示された実施形態による、ＨＶＡＣユニットの現行能力比率が増加されるべき第１の冷房動作又は第２の冷房動作の態様を示すグラフである。図１０に示すように、グラフ１０００は、室温対時間のグラフであり、所望の速度の温度変化を示す直線９１０を含む。上述したように、この直線９１０の勾配に−１を乗算したものは、所望の部屋冷房変化速度（所望のｄＴＣ）を示す。この所望の部屋冷房変化速度は、グラフ１０００が第１の冷房動作２３０を表しているのか又は第２の冷房動作２４０を表しているのかに応じて、第１の冷房閾値又は第２の冷房閾値（ＴＣ１又はＴＣ２）として用いることができる。
【０１４１】
グラフ１０００は、以前の複数の温度測定値１０２０及び現在の温度測定値１０３０も含む。これらの温度測定値１０２０、１０３０に基づいて、最も良く適合する直線１０４０を求めることができる。この直線１０４０は、冷房されているエリアにおける温度変化の実際の速度を表す。この直線１０４０の勾配は、実際の室温変化速度（ｄＴ）を表す。この実際の室温変化速度に−１を乗算したものは、実際の部屋冷房変化速度（ｄＴＣ）を示す。
【０１４２】
開示された実施形態では、１つの現在の温度測定値１０３０及び３つの以前の温度測定値１０２０が提供されている。これは単なる例示にすぎない。代替の実施形態は、これよりも多くの又は少ない以前の温度測定値１０２０を用いることができる。
【０１４３】
図１０に見て取ることができるように、実際の室温変化速度直線１０４０の勾配の大きさは、所望の温度変化速度直線１０１０の勾配の大きさよりも小さい。これは、計算された部屋冷房変化速度（ｄＴＣ）が第１の冷房閾値又は第２の冷房閾値（ＴＣ１又はＴＣ２）よりも小さいことに対応する。図３及び図４に示すように、これが起こっているとき、現行能力比率は、対応する冷房増分ずつ最大で１００％まで上げられる。
【０１４４】
換言すれば、実際の部屋冷房変化速度が所望の冷房変化速度よりも小さいとき、ＨＶＡＣインターフェース１２０は、ＨＶＡＣユニット１３０の現行能力比率を上げ、ＨＶＡＣユニット１３０がエリアに提供する冷房の量をＨＶＡＣユニット１３０に増加させる。これは、ひいては、実際の部屋冷房変化速度を大きくすることになり、実際の部屋冷房変化速度が、所望の部屋冷房変化速度に接近することになる。
【０１４５】
図１１は、開示された実施形態による、ＨＶＡＣユニット１３０の現行能力比率が維持されるべき第１の冷房動作２３０又は第２の冷房動作２４０の態様を示すグラフである。図１１に示すように、グラフ１１００は、室温対時間のグラフであり、所望の速度の温度変化を示す直線９１０を含む。上述したように、この直線９１０の勾配に−１を乗算したものは、所望の部屋冷房変化速度（所望のｄＴＣ）を示す。この所望の部屋冷房変化速度は、グラフ１１００が第１の冷房動作２３０を表しているのか又は第２の冷房動作２４０を表しているのかに応じて、第１の冷房閾値又は第２の冷房閾値（ＴＣ１又はＴＣ２）として用いることができる。
【０１４６】
グラフ１１００は、以前の複数の温度測定値１１２０及び現在の温度測定値１１３０も含む。これらの温度測定値１１２０、１１３０に基づいて、最も良く適合する直線１１４０を求めることができる。この直線１１４０は、冷房されるエリアにおける温度変化の実際の速度を表す。この直線１１４０の勾配は、実際の室温変化速度（ｄＴ）を表す。この実際の室温変化速度に−１を乗算したものは、実際の部屋冷房変化速度（ｄＴＣ）を示す。
【０１４７】
開示された実施形態では、１つの現在の温度測定値１１３０及び３つの以前の温度測定値１１２０が提供されている。これは単なる例示にすぎない。代替の実施形態は、これよりも多くの又は少ない以前の温度測定値１１２０を用いることができる。
【０１４８】
図１１に見て取ることができるように、実際の室温変化速度直線１０４０の勾配の大きさは、所望の温度変化速度直線１０１０の勾配の大きさと等しい。これは、計算された部屋冷房変化速度（ｄＴＣ）が第１の冷房閾値又は第２の冷房閾値（ＴＣ１又はＴＣ２）と等しいことに対応する。図３及び図４に示すように、これが起こっているとき、現行能力比率は維持される。
【０１４９】
換言すれば、実際の部屋冷房変化速度が所望の冷房変化速度と等しいとき、ＨＶＡＣインターフェース１２０は、ＨＶＡＣユニット１３０の現行能力比率を維持する。ＨＶＡＣユニット１３０は、エリアを所望の速度で冷房しているので、ＨＶＡＣユニット１３０の現行能力比率を変更する必要はない。
【０１５０】
図１２は、開示された実施形態による、ＨＶＡＣユニットの現行能力比率が削減されるべき第１の暖房動作２５０又は第２の暖房動作２６０の態様を示すグラフである。図１２に示すように、グラフ１２００は、室温対時間のグラフであり、所望の速度の温度変化を示すために提供された直線１２１０を含む。この直線１２１０の勾配は、所望の室温変化速度（ｄＴ）を表すだけでなく、所望の部屋暖房変化速度（所望のｄＴＨ）も表す。この所望の部屋暖房変化速度（所望のｄＴＨ）は、グラフ１２００が第１の暖房動作２５０を表すのか又は第２の暖房動作２６０を表すのかに応じて、第１の暖房閾値又は第２の暖房閾値（ＴＨ１又はＴＨ２）として用いることができる。
【０１５１】
グラフ１２００は、以前の複数の温度測定値１２２０及び現在の温度測定値１２３０も含む。これらの温度測定値１２２０、１２３０に基づいて、最も良く適合する直線１２４０を求めることができる。この直線１２４０は、暖房されるエリアにおける温度変化の実際の速度を表す。この直線１４０の勾配は、実際の室温変化速度（ｄＴ）を表すだけでなく、実際の部屋暖房変化速度（ｄＴＨ）も表す。
【０１５２】
開示された実施形態では、１つの現在の温度測定値１２３０及び３つの以前の温度測定値１２２０が提供されている。これは単なる例示にすぎない。代替の実施形態は、これよりも多くの又は少ない以前の温度測定値１２２０を用いることができる。
【０１５３】
図１２に見て取ることができるように、実際の部屋暖房変化速度直線１２４０の勾配は、所望の暖房変化速度直線９１０の勾配よりも大きい。これは、計算された部屋暖房変化速度（ｄＴＨ）が第１の暖房閾値又は第２の暖房閾値（ＴＨ１又はＴＨ２）よりも大きいことに対応する。図５及び図６に示すように、これが起こっているとき、ＨＶＡＣユニット１３０の現行能力比率は、対応する暖房増分ずつ最低で０％まで下げられる。
【０１５４】
換言すれば、実際の部屋暖房変化速度が所望の部屋暖房変化速度よりも大きいとき、ＨＶＡＣインターフェース１２０は、ＨＶＡＣユニット１３０の現行能力比率を下げ、ＨＶＡＣユニット１３０がエリアに提供する暖房の量をＨＶＡＣユニット１３０に削減させる。これは、ひいては、実際の部屋暖房変化速度を小さくすることになり、実際の部屋暖房変化速度が、所望の部屋暖房変化速度に接近することになる。
【０１５５】
図１３は、開示された実施形態による、ＨＶＡＣユニットの現行能力比率が増加されるべき第１の暖房動作２５０又は第２の暖房動作２６０の態様を示すグラフである。図１３に示すように、グラフ１３００は、室温対時間のグラフであり、所望の速度の温度変化を示す直線１２１０を含む。上述したように、この直線１２１０の勾配は、所望の部屋暖房変化速度（所望のｄＴＣ）を示し、この所望の部屋暖房変化速度は、グラフ１３００が第１の暖房動作２５０を表しているのか又は第２の暖房動作２６０を表しているのかに応じて、第１の暖房閾値又は第２の暖房閾値（ＴＨ１又はＴＨ２）として用いることができる。
【０１５６】
グラフ１３００は、以前の複数の温度測定値１３２０及び現在の温度測定値１３３０も含む。これらの温度測定値１３２０、１３３０に基づいて、最も良く適合する直線１３４０を求めることができる。この直線１３４０は、暖房されるエリアにおける温度変化の実際の速度を表す。この直線１３４０の勾配は、実際の室温変化速度（ｄＴ）を表すだけでなく、実際の部屋暖房変化速度（ｄＴＨ）も表す。
【０１５７】
開示された実施形態では、１つの現在の温度測定値１３３０及び３つの以前の温度測定値１０２０が提供されている。これは単なる例示にすぎない。代替の実施形態は、これよりも多くの又は少ない以前の温度測定値１３２０を用いることができる。
【０１５８】
図１３に見て取ることができるように、実際の部屋暖房変化速度直線１３４０の勾配は、所望の部屋暖房変化速度直線１３１０の勾配よりも小さい。これは、計算された部屋冷房変化速度（ｄＴＨ）が第１の暖房閾値又は第２の暖房閾値（ＴＨ１又はＴＨ２）よりも小さいことに対応する。図５及び図６に示すように、これが起こっているとき、現行能力比率は、対応する暖房増分ずつ最大で１００％まで上げられる。
【０１５９】
換言すれば、実際の部屋暖房変化速度が所望の部屋暖房変化速度よりも小さいとき、ＨＶＡＣインターフェース１２０は、ＨＶＡＣユニット１３０の現行能力比率を上げ、ＨＶＡＣユニット１３０がエリアに提供する暖房の量をＨＶＡＣユニット１３０に増加させる。これは、ひいては、実際の部屋暖房変化速度を大きくすることになり、実際の部屋暖房変化速度が、所望の部屋暖房変化速度に接近することになる。
【０１６０】
図１４は、開示された実施形態による、ＨＶＡＣユニット１３０の現行能力比率が維持されるべき第１の暖房動作２５０又は第２の暖房動作２６０の態様を示すグラフである。図１４に示すように、グラフ１４００は、室温対時間のグラフであり、所望の速度の温度変化を示す直線１２１０を含む。上述したように、この直線１２１０の勾配は、所望の部屋暖房変化速度（所望のｄＴＨ）を示し、この所望の部屋暖房変化速度は、グラフ１４００が第１の暖房動作２５０を表しているのか又は第２の暖房動作２６０を表しているのかに応じて、第１の暖房閾値又は第２の暖房閾値（ＴＨ１又はＴＨ２）として用いることができる。
【０１６１】
グラフ１４００は、以前の複数の温度測定値１４２０及び現在の温度測定値１４３０も含む。これらの温度測定値１４２０、１４３０に基づいて、最も良く適合する直線１４４０を求めることができる。この直線１４４０は、暖房されるエリアにおける温度変化の実際の速度を表す。この直線１４４０の勾配は、実際の室温変化速度（ｄＴ）を表すだけでなく、実際の部屋暖房変化速度（ｄＴＨ）も表す。
【０１６２】
開示された実施形態では、１つの現在の温度測定値１４３０及び３つの以前の温度測定値１４２０が提供されている。これは単なる例示にすぎない。代替の実施形態は、これよりも多くの又は少ない以前の温度測定値１４２０を用いることができる。
【０１６３】
図１４に見て取ることができるように、実際の部屋暖房変化速度直線１４４０の勾配の大きさは、所望の部屋暖房変化速度直線１２１０の勾配に等しい。これは、計算された部屋暖房変化速度（ｄＴＨ）が第１の暖房閾値又は第２の暖房閾値（ＴＨ１又はＴＨ２）と等しいことに対応する。図５及び図６に示すように、これが起こっているとき、現行能力比率は維持される。
【０１６４】
換言すれば、実際の部屋暖房変化速度が、所望の部屋暖房変化速度と等しいとき、ＨＶＡＣインターフェース１２０は、ＨＶＡＣユニット１３０の現行能力比率を維持する。ＨＶＡＣユニット１３０は、エリアを所望の速度で暖房しているので、ＨＶＡＣユニット１３０の現行能力比率を変更する必要はない。
【０１６５】
代替の実施形態
図１５は、開示された代替の実施形態による図２の第１の冷房動作２３０のフローチャートである。特に、図１５は、複数の冷房閾値ＴＣ１Ｕ及びＴＣ１Ｌを用いる第１の冷房動作２３０を示している。
【０１６６】
第１の冷房動作２３０のこの実施形態は、図３の第１の冷房動作２３０と類似している。類似した要素は、上記で開示されたように動作する。本開示を簡略にするために、これらの要素は再度説明されない。
【０１６７】
図１５に示すように、部屋冷房変化速度（ｄＴＣ）が計算されると、ＨＶＡＣインターフェース１２０は、例えば、比較器１５０を用いて、部屋冷房変化速度（ｄＴＣ）を第１の上側冷房閾値（ＴＣ１Ｕ）及び第１の下側冷房閾値（ＴＣ１Ｌ）と比較する（１５７０）。第１の上側冷房閾値（ＴＣ１Ｕ）及び第１の下側冷房閾値（ＴＣ１Ｌ）は、第１の冷房動作２３０の部屋冷房変化速度の所望の範囲を画定する。これらの閾値は、勾配が冷房の速度の所望の範囲（冷房が強まる場合に正の値を提供するように−１が乗算される）を構成する２つの直線として視覚化することができる。部屋冷房変化速度（ｄＴＣ）を第１の上側冷房閾値（ＴＣ１Ｕ）及び第１の下側冷房閾値（ＴＣ１Ｌ）と比較することによって、ＨＶＡＣインターフェース１２０は、ＨＶＡＣユニットが、所望のものよりもゆっくりとエリアを冷房しているのか、所望のものよりも急速に冷房しているのか、又は正確に所望どおりに冷房しているのかを判断することができる。
【０１６８】
部屋冷房変化速度（ｄＴＣ）が、第１の上側冷房閾値（ＴＣ１Ｕ）以下第１の下側冷房閾値（ＴＣ１Ｌ）以上である（すなわち、ＴＣ１Ｌ≦ｄＴＣ≦ＴＣ１Ｕである）場合、部屋冷房変化速度（ｄＴＣ）は、正確に所望の範囲内にある。これは、ＨＶＡＣユニット１３０が正確に許容可能な能力で動作していることを意味する。この場合、ＨＶＡＣインターフェース１２０は何も行わないが、どのステージング信号がサーモスタット１１０によって有効にされているのかを再び確認する（３１０）ことに戻る。ＨＶＡＣインターフェース１２０は、幾つかの実施形態では、この確認を或る遅延時間（例えば、０秒〜９０秒）だけ遅延させることができる。
【０１６９】
部屋冷房変化速度（ｄＴＣ）が第１の上側冷房閾値（ＴＣ１Ｕ）よりも大きい（すなわち、ｄＴＣ＞ＴＣ１Ｕである）場合、部屋冷房変化速度（ｄＴＣ）は所望の値よりも高い。これは、ＨＶＡＣユニット１３０が所望のものよりも高い能力で動作しており、エリアを過度に急速に冷房していることを意味する。この場合には、ＨＶＡＣインターフェース１２０は、現行能力比率を第１の冷房増分ずつ最低で０％まで下げ（３７５）、その後、（幾つかの実施形態では、遅延時間後に）どのステージング信号がサーモスタット１１０によって有効にされているのかを再び確認する（３１０）ことに戻る。
【０１７０】
現行能力比率を第１の冷房増分ずつ削減する（３７５）ことによって、ＨＶＡＣインターフェース１２０は、ＨＶＡＣユニット１３０にエリアをよりゆっくりと冷房させ、部屋冷房変化速度（ｄＴＣ）をその所望の値に近づける。
【０１７１】
部屋冷房変化速度（ｄＴＣ）が第１の下側冷房閾値（ＴＣ１）よりも小さい（すなわち、ｄＴＣ＜ＴＣ１Ｌである）場合、部屋冷房変化速度（ｄＴＣ）は所望の値よりも低い。これは、ＨＶＡＣユニット１３０が、所望のものよりも低い能力で動作しており、エリアを過度にゆっくりと冷房していることを意味する。この場合には、ＨＶＡＣインターフェース１２０は、現行能力比率を第２の冷房増分ずつ最高で１００％まで上げ（３８０）、その後、（幾つかの実施形態では、遅延時間後に）どのステージング信号がサーモスタット１１０によって有効にされているのかを再び確認する（３１０）ことに戻る。
【０１７２】
現行能力比率を第２の冷房増分ずつ増加させる（３８０）ことによって、ＨＶＡＣインターフェース１２０は、ＨＶＡＣユニット１３０にエリアをより急速に冷房させ、部屋冷房変化速度（ｄＴＣ）をその所望の値に近づける。
【０１７３】
現行能力比率に対するこれらの調整を第１の冷房動作中に行うことによって、ＨＶＡＣインターフェース１２０は、粒度を有しない単一のＯＮ／ＯＦＦの第１ステージ冷房信号しか受信していないにもかかわらず、エリア内の所望の温度をより良好かつより効率的に維持することができる。
【０１７４】
複数の閾値の使用を第２の冷房動作２４０並びに第１の暖房動作２５０及び第２の暖房動作２６０に拡張することができることが当業者によって理解されるであろう。
【０１７５】
図１６は、開示された代替の実施形態による、ＨＶＡＣユニットの現行能力比率が削減されるべき第１の冷房動作２３０又は第２の冷房動作２４０の態様を示すグラフである。図１６に示すように、グラフ１６００は、室温対時間のグラフであり、所望の範囲の温度変化を示すために提供された直線１６１０及び１６１５を含む。直線１６１０及び１６１５の勾配は、室温変化速度（ｄＴ）の所望の範囲を構成する。所望の室温変化速度に−１を乗算したものは、所望の部屋冷房変化速度（所望のｄＴＣ）を示す。これらの２つの直線１６１０及び１６１５のこの所望の部屋冷房変化速度（所望のｄＴＣ）は、グラフ１６００が第１の冷房動作２３０を表すのか又は第２の冷房動作２４０を表すのかに応じて、第１の上側冷房閾値及び第１の下側冷房閾値又は第２の上側冷房閾値及び第２の下側冷房閾値（ＴＣ１Ｕ及びＴＣ１Ｌ又はＴＣ２Ｕ及びＴＣ２Ｌ）として用いることができる。
【０１７６】
グラフ１６００は、以前の複数の温度測定値１６２０及び現在の温度測定値１６３０も含む。これらの温度測定値１６２０、１６３０に基づいて、最も良く適合する直線１６４０を求めることができる。この直線１６４０は、エリアにおける温度変化の実際の速度を表す。この直線１６４０の勾配は、実際の室温変化速度（ｄＴ）を表す。この実際の室温変化速度に−１を乗算したものは、実際の部屋冷房変化速度（ｄＴＣ）を示す。これを求める際に、直線１６１０、１６１５、及び１６４０は全て、記憶された最も古い温度測定値１６２０において交差する。
【０１７７】
開示された実施形態では、１つの現在の温度測定値１６３０及び３つの以前の温度測定値１６２０が提供されている。これは単なる例示にすぎない。代替の実施形態は、これよりも多くの又は少ない以前の温度測定値１６２０を用いることができる。
【０１７８】
図１６に見て取ることができるように、実際の室温変化速度直線１６４０の勾配の大きさは、所望の温度変化速度直線１６１０及び１６１５のいずれの勾配の大きさよりも大きい。その結果、実際の室温変化速度直線１６４０の勾配の大きさは、これらの２つの線１６１０及び１６１５によって画定されるエリアの外部にある。これは、計算された部屋冷房変化速度（ｄＴＣ）が第１の上側冷房閾値又は第２の上側冷房閾値（ＴＣ1Ｕ又はＴＣ２Ｕ）よりも大きいことに対応する。図１５に示すように、これが起こっているとき、現行能力比率は、対応する冷房増分ずつ最低で０％まで下げられる。
【０１７９】
換言すれば、実際の部屋冷房変化速度が所望の冷房変化速度範囲よりも大きいとき、ＨＶＡＣインターフェース１２０は、ＨＶＡＣユニット１３０の現行能力比率を下げ、ＨＶＡＣユニット１３０が提供する冷房の量をＨＶＡＣユニット１３０に削減させる。これは、ひいては、実際の部屋冷房変化速度を小さくすることになり、実際の部屋冷房変化速度が、所望の部屋冷房変化速度範囲に接近することになる。
【０１８０】
図１７は、開示された代替の実施形態による、ＨＶＡＣユニット１３０の現行能力比率が増加されるべき第１の冷房動作２３０又は第２の冷房動作２４０の態様を示すグラフである。図１７に示すように、グラフ１７００は、室温対時間のグラフであり、冷房されるエリアの温度変化の速度の所望の範囲を画定する直線１６１０及び１６１５を含む。上述したように、所望の部屋冷房変化速度（所望のｄＴＣ）を示すために、これらの直線１６１０及び１６１５の勾配には−１が乗算される。この所望の部屋冷房変化速度は、グラフ１７００が第１の冷房動作２３０を表すのか又は第２の冷房動作２４０を表すのかに応じて、第１の上側冷房閾値及び第１の下側冷房閾値又は第２の上側冷房閾値及び第２の下側冷房閾値（ＴＣＵ１及びＴＣ１Ｌ又はＴＣ２Ｕ及びＴＣ２Ｌ）として用いることができる。
【０１８１】
グラフ１７００は、以前の複数の温度測定値１７２０及び現在の温度測定値１７３０も含む。これらの温度測定値１７２０、１７３０に基づいて、最も良く適合する直線１７４０を求めることができる。この直線１７４０は、エリアにおける温度変化の実際の速度を表す。この直線１７４０の勾配は、実際の室温変化速度（ｄＴ）を表す。この実際の室温変化速度に−１を乗算したものは、実際の部屋冷房変化速度（ｄＴＣ）を示す。
【０１８２】
開示された実施形態では、１つの現在の温度測定値１７３０及び３つの以前の温度測定値１７２０が提供されている。これは単なる例示にすぎない。代替の実施形態は、これよりも多くの又は少ない以前の温度測定値１７２０を用いることができる。
【０１８３】
図１７に見て取ることができるように、実際の室温変化速度直線１７４０の勾配の大きさは、所望の温度変化速度直線１６１０及び１６１５の勾配の大きさによって画定される所望の範囲を下回っている。これは、計算された部屋冷房変化速度（ｄＴＣ）が第１の下側冷房閾値又は第２の下側冷房閾値（ＴＣ１Ｌ又はＴＣ２Ｌ）を下回っていることに対応する。図１５に示すように、これが起こっているとき、現行能力比率は増加される。
【０１８４】
換言すれば、実際の部屋冷房変化速度が所望の冷房変化速度範囲を下回るとき、ＨＶＡＣインターフェース１２０は、ＨＶＡＣユニット１３０の現行能力比率を上げ、ＨＶＡＣユニット１３０が提供する冷房の量をＨＶＡＣユニット１３０に増加させる。これは、ひいては、実際の部屋冷房変化速度を大きくすることになり、実際の部屋冷房変化速度が、所望の部屋冷房変化速度範囲に接近することになる。
【０１８５】
図１８は、開示された代替の実施形態による、ＨＶＡＣユニット１３０の現行能力比率が維持されるべき第１の冷房動作２３０又は第２の冷房動作２４０の態様を示すグラフである。図１８に示すように、グラフ１８００は、室温対時間のグラフであり、冷房されるエリアの温度変化の速度の所望の範囲を画定する直線１６１０及び１６１５を含む。上述したように、所望の部屋冷房変化速度（所望のｄＴＣ）を示すために、これらの直線１６１０及び１６１５の勾配には−１が乗算される。この所望の部屋冷房変化速度は、グラフ１８００が第１の冷房動作２３０を表すのか又は第２の冷房動作２４０を表すのかに応じて、第１の上側冷房閾値及び第１の下側冷房閾値又は第２の上側冷房閾値及び第２の下側冷房閾値（ＴＣＵ１及びＴＣ１Ｌ又はＴＣ２Ｕ及びＴＣ２Ｌ）として用いることができる。
【０１８６】
グラフ１８００は、以前の複数の温度測定値１８２０及び現在の温度測定値１８３０も含む。これらの温度測定値１８２０、１８３０に基づいて、最も良く適合する直線１８４０を求めることができる。この直線１８４０は、エリアにおける温度変化の実際の速度を表す。この直線１８４０の勾配は、実際の室温変化速度（ｄＴ）を表す。この実際の室温変化速度に−１を乗算したものは、実際の部屋冷房変化速度（ｄＴＣ）を示す。
【０１８７】
開示された実施形態では、１つの現在の温度測定値１８３０及び３つの以前の温度測定値１８２０が提供されている。これは単なる例示にすぎない。代替の実施形態は、これよりも多くの又は少ない以前の温度測定値１８２０を用いることができる。
【０１８８】
図１８に見て取ることができるように、実際の室温変化速度直線１８４０の勾配の大きさは、所望の温度変化速度直線１６１０及び１６１５の勾配の大きさによって画定される所望の範囲内にある。これは、計算された部屋冷房変化速度（ｄＴＣ）が第１の上側冷房閾値（ＴＣ１Ｕ）と第１の下側冷房閾値（ＴＣ１Ｌ）との間又は第２の上側冷房閾値（ＴＣ２Ｕ）と第２の下側冷房閾値（ＴＣ２Ｌ）との間にあることに対応する。図１５に示すように、これが起こっているとき、現行能力比率は維持される。
【０１８９】
換言すれば、実際の部屋冷房変化速度が、所望の冷房変化速度範囲内にあるとき、ＨＶＡＣインターフェース１２０は、ＨＶＡＣユニット１３０の現行能力比率を維持する。ＨＶＡＣユニット１３０は、エリアを所望の速度の範囲内で冷房しているので、ＨＶＡＣユニット１３０の現行能力比率を変更する必要はない。
【０１９０】
これらのグラフは、暖房動作における複数の閾値の使用を示す図１０及び図１２〜図１４に示すものに同様にして拡張することができることが当業者によって理解されるであろう。
【０１９１】
結論
上記例では、２ステージ冷房及び２ステージ暖房が開示されているが、これは、単なる例示にすぎない。代替の実施形態は、単一ステージ冷房、単一ステージ暖房、又は３ステージ以上の暖房及び／又は冷房を用いることができる。
【０１９２】
本開示は、本発明の真の意図した公正な範囲及び趣旨を限定するのではなく、本発明による様々な実施形態を作成し用いる方法を説明することを意図している。上記説明は、網羅的であることを意図したものでもなければ、本発明を開示された正確な形態に限定することを意図したものでもない。上記教示に鑑み、変更形態及び変形形態が可能である。上記実施形態（複数の場合もある）は、本発明の原理及びその実際の適用の最良の例示を提供するとともに、当業者が、様々な実施形態において、検討されている特定の使用に適した様々な変更形態とともに本発明を利用することを可能にするために選ばれて説明されたものである。そのような全ての変更形態及び変形形態は、本出願の特許取得のための係属中に補正される場合がある添付の特許請求の範囲によって定められる本発明の範囲内にあり、また、本発明の全ての均等物が公正、法的、かつ正当に権利を有する広さに従って解釈されるときは本発明の全ての均等物の範囲内にある。上記に説明した様々な回路は、実施による要望に応じて、ディスクリート回路又は集積回路において実施することができる。
【図１】
0006494763.tif 000002
【図２】
0006494763.tif 000003
【図３】
0006494763.tif 000004
【図４】
0006494763.tif 000005
【図５】
0006494763.tif 000006
【図６】
0006494763.tif 000007
【図７】
0006494763.tif 000008
【図８】
0006494763.tif 000009
【図９】
0006494763.tif 000010
【図１０】
0006494763.tif 000011
【図１１】
0006494763.tif 000012
【図１２】
0006494763.tif 000013
【図１３】
0006494763.tif 000014
【図１４】
0006494763.tif 000015
【図１５】
0006494763.tif 000016
【図１６】
0006494763.tif 000017
【図１７】
0006494763.tif 000018
【図１８】
0006494763.tif 000019